(57)【要約】  吸収性物品は、バックシートと、バックシートに接合されたトップシートと、バックシートとトップシートとの間に配置された吸収性コアと、を備えるシャーシを含む。物品はまた、シャーシに接合された、少なくとも１つの持ち手を含む。持ち手は、適用された力の３０〜５０％を伝達することができ、ハンドルに適用された力が取り除かれた後に、実質的に、又はほぼ実質的にその初期の形状に戻る材料から作製される。材料は、６０％ひずみの５分間の維持時間の後、３７℃で約０．０４Ｎ／ｍｍ２より大きな正規化された除荷力、及び２２℃での１５秒間の回復の後に少なくとも約３０％の伸長後ひずみを有する、緩慢に回復するエラストマーであってよい。物品の使用方法もまた含まれる。
2010508055.tif 000002
【特許請求の範囲】
【請求項１】
バックシートと、
前記バックシートに接合されたトップシートと、
前記バックシートと前記トップシートとの間に配置された吸収性コアと、を含むシャーシ、を含む吸収性物品であって、
少なくとも１つの持ち手が前記シャーシに接合され、前記持ち手は緩慢に回復するエラストマーを含み、前記緩慢に回復するエラストマーは、６０％ひずみの５分間の維持時間の後、３７℃で約０．０４Ｎ／ｍｍ２より大きな正規化された除荷力、及び２２℃での１５秒間の回復の後に少なくとも約３０％の伸長後ひずみを呈する、吸収性物品。
【請求項２】
前記緩慢に回復するエラストマーが、２２℃での１５秒間の回復の後に少なくとも約８０％の伸長後ひずみを呈する、請求項１に記載の吸収性物品。
【請求項３】
前記シャーシが更に腰部区域を含み、前記少なくとも１つの持ち手が、前記腰部区域内に配置される、請求項１又は２に記載の吸収性物品。
【請求項４】
前記シャーシが更に耳を含み、前記少なくとも１つの持ち手が、前記耳に近接して配置される、請求項１〜３のいずれか一項に記載の吸収性物品。
【請求項５】
前記シャーシは、一対の前側耳部及び一対の後側耳部を更に有し、各１つの前記前側耳部が各１つの前記後側耳部に締結されることにより、一対の接合された前側及び後側耳部を画定し、かつ前記少なくとも１つの持ち手は、前記一対の接合された前側及び後側耳部のうちの１つを横断して配置される、請求項１又は２に記載の吸収性物品。
【請求項６】
前記シャーシは、一対の前側耳部及び一対の後側耳部を更に有し、各１つの前記前側耳部が各１つの前記後側耳部に締結されることにより、一対の接合された前側及び後側耳部を画定し、かつ前記少なくとも１つの持ち手は、前記一対の接合された前側及び後側耳部の一方側又は他方側に配置される、請求項１又は２に記載の吸収性物品。
【請求項７】
前記吸収性物品が、前記少なくとも１つの持ち手に加え、別の持ち手を含む、請求項１〜６のいずれか一項に記載の吸収性物品。
【請求項８】
前記少なくとも１つの持ち手が、少なくとも１つのフラップを含む、請求項１〜７のいずれか一項に記載の吸収性物品。
【請求項９】
前記少なくとも１つの持ち手が、少なくとも１つのタブを含む、請求項１〜８のいずれか一項に記載の吸収性物品。
【請求項１０】
前記少なくとも１つの持ち手が、少なくとも１つの隆起部を含む、請求項１〜９のいずれか一項に記載の吸収性物品。
【請求項１１】
前記少なくとも１つの持ち手が、少なくとも１つのループを含む、請求項１〜１０のいずれか一項に記載の吸収性物品。
【請求項１２】
バックシートと、
前記バックシートに接合されたトップシートと、
前記バックシートと前記トップシートとの間に配置された吸収性コアと、を含むシャーシ、を含む吸収性物品であって、
少なくとも１つの持ち手が前記シャーシに接合され、前記持ち手は、適用された力の少なくとも３０〜５０％を伝達することができ、前記持ち手に適用された力が取り除かれた後に、実質的に、またほぼ実質的にその初期の形状に戻る材料を含む、吸収性物品。
【請求項１３】
前記材料が、少なくとも約２０Ｎをシャーシに伝達することができる、請求項１２に記載の吸収性物品。
【請求項１４】
吸収性物品を使用する方法であって、前記吸収性物品は、バックシートと、前記バックシートに接合されたトップシートと、前記バックシートと前記トップシートとの間に配置された吸収性コアと、を含むシャーシを有し、前記シャーシは、脚部開口部及び腰部開口部を画定するように締結され、少なくとも１つの持ち手は、前記シャーシに接合され、器用さに限界がある者が把持するのを容易にする形状であり、前記方法は、
着用者の脚を前記腰部開口部及び前記脚部開口部を通して配置する工程、
前記少なくとも１つの持ち手を把持する工程、
前記少なくとも１つの持ち手によって前記シャーシに力を適用して、前記物品を前記脚に沿って前記着用者の腰に向って上方に移動し、前記少なくとも１つの持ち手に適用される前記力の、少なくとも３０〜５０％が前記シャーシに伝達される工程、
前記少なくとも１つの持ち手を放し、前記少なくとも１つの持ち手がその後実質的に、又はほぼ実質的にその初期の形状に戻る工程、を含む、方法。
【請求項１５】
前記持ち手が、少なくとも約２０Ｎを伝達することができる、請求項１４に記載の方法。
【請求項１６】
前記持ち手が、緩慢に回復するエラストマーから作製され、前記緩慢に回復するエラストマーは、６０％ひずみの５分間の維持時間の後、３７℃で約０．０４Ｎ／ｍｍ２より大きな正規化された除荷力、及び２２℃での１５秒間の回復の後に少なくとも約３０％の伸長後ひずみを呈する、請求項１４又は１５に記載の方法。
【請求項１７】
前記緩慢に回復するエラストマーが、２２℃での１５秒間の回復の後、少なくとも約８０％の伸長後ひずみを呈する、請求項１４〜１６のいずれか一項に記載の吸収性物品。
【発明の詳細な説明】
【技術分野】
【０００１】
本開示は、取り付けられた持ち手を有する、トレーニングパンツなどの吸収性物品、特に、少なくとも部分的に、緩慢に回復する材料から形成される持ち手を備える吸収性物品を目的とする。
【背景技術】
【０００２】
おむつ、及びトレーニングパンツなどの吸収性物品は、当該技術分野において周知である。これらの物品は、典型的には、着用者から排泄された排泄物を捕捉し吸収するため、使用中、着用者の身体に近接して保持される、又は位置付けられる吸収性アセンブリを有する。典型的な吸収性物品は、流体排出物が吸収性コアへと通り抜けることができる着用者に面するトップシートと、排出物が吸収性物品から漏れるのを防ぐバックシートとを含む。
【０００３】
典型的には、子供は、誕生後すぐにおむつの着用を始める。ある時点で、介護人は、子供の、おむつの着用からの移行を試みる。この移行は、典型的には排泄訓練と称され、典型的には、排出物の排泄が迫っているためにトイレをいつ使用する必要があるのか認識することを子供が覚えることを含む。
【０００４】
子供が排泄訓練をしている間、子供は、トレーニングパンツなどの形で、依然として吸収性物品を着用していることがある。ある意味では、トレーニングパンツはおむつと同様の機能を提供し、すなわち排出物が吸収性物品から逃れるのを制限する。別の意味では、おむつと比べ、焦点が微妙に異なり得る。おむつの焦点は、乳幼児の肌の排出物への暴露を制限することである一方で、トレーニングパンツの焦点は、着用者が一定の衝動と感触を排出物の排泄と関連付け始めることができるように、着用者に湿気又は冷たさの感触を作り出す、又は想定することである場合がある。望ましくは、衝動及び排泄の関連付けは、着用者が、いつトイレを使用する必要があるか予測することを可能し、それによって吸収性物品から移行させる。
【０００５】
排泄訓練は、通常、すぐには起こらず、完了するのに数日、又は数週間かかることがある。子供が「排泄訓練」を受けた後でさえも、日中の活動と比較し、夜間に子供がパンツを着用することが依然として必要である場合がある。すなわち、特定の子供たちは、生理的、又は精神的な理由により、日中は排泄を予測することができることがあるが、夜間にはできないままであることがある。したがって、このような子供たちの場合、他の子供たちに比べ、吸収性物品を着用する時間が延長されることがある。
【０００６】
また、典型的には、子供たちが排泄訓練される年齢は、「先進」国において、過去数十年にわたり、着実に上がってきたことも事実である。現在子供たちが排泄訓練される年齢は、約２４〜４８ヶ月の範囲である。パンツの夜間の使用は、この年齢を更に延長することがある。結果として、排泄訓練をしている、又は夜間にパンツを着用しているよちよち歩きの幼児は、十分に成熟しており、子供が着衣又は脱衣の技術を向上させ得るのと同様に、子供たち自身のトレーニングパンツ又は夜間パンツを着脱させる時に介護人を助けることができる。
【０００７】
子供が十分に成熟してトレーニング又は夜間パンツの着脱の責任を負いたがることがある一方で、この子供はこの行動を独立して実行するのに十分な技術を備えていないことがある。全ての子供が同一の速さで運動神経を向上させるわけではなく、特定の技術は、他のものより容易に習得される。更に、介護人はよちよち歩きの幼児がパンツを着用するのを助ける必要のある場合があり、これは、介護人が子供の高さまで背を曲げるか屈むことを必要とし得る。これらの全ての要因は、よちよち歩きの幼児、介護人、又は双方の側に、不快感、支障、又はプロセスに対する不満感を引き起こし得る。
【０００８】
子供、又は介護人がパンツを着用するのを助けるために、持ち手、又はストラップをパンツに加えることが提案されてきた。これらの持ち手又はストラップは、パンツを床に配置して子供にパンツの脚部開口部に足を通させる時に必要な屈む、又は腰を曲げるという動作の程度を制限するために、子供、又は介護人によって使用されることができる。その上、子供（又は介護人）が、持ち手又はストラップを掴むのは、子供（又は介護人）がパンツの側部を掴むよりも、容易であり得る。
【０００９】
残念ながら、これらの持ち手又はストラップは、望ましくない美的又は機能的効果を有する。例えば、持ち手又はストラップは、使用前にはパンツの側部に対して折り曲げることができるが、一度持ち手又はストラップが使用されると、持ち手又はストラップは、パンツの側部からゆるく残存することがある。結果として、持ち手又はストラップは、パンツのウエストに差し込まれなくてはならず、これは子供にとって不快であることがあり、あるいは持ち手又はストラップがパンツの側部にゆるく垂れ下がることがあり、これは乱れた外観をもたらし得る。あるいは、持ち手又はストラップが、伸縮性の弾性材料から作製され、そのため持ち手又はストラップが使用後に身体の近い場所に戻る場合、持ち手を用いてパンツを着用者上の操作位置に持ち上げながら、十分な力をパンツに移動させるのは難しいことがある。
【発明の概要】
【発明が解決しようとする課題】
【００１０】
したがって、吸収性物品を着用するユーザーの努力を促進する装置、又は物品を提供するのが望ましい。ユーザーの努力を促進する装置又は物品を提供し、同時に従来的な持ち手又はストラップ技術の１つ以上の欠点を克服することもまた望ましい。
【課題を解決するための手段】
【００１１】
第１の態様では、吸収性物品は、バックシートと、バックシートに接合されたトップシートと、バックシートとトップシートとの間に配置された吸収性コアと、を備えるシャーシを含む。物品はまた、シャーシに接合された少なくとも１つの持ち手を含む。持ち手は、緩慢に回復するエラストマーから作製され、緩慢に回復するエラストマーは、６０％ひずみの５分間の維持時間の後、３７℃で約０．０４Ｎ／ｍｍ２より大きな正規化された除荷力、及び２２℃での１５秒間の回復の後に少なくとも約３０％の伸長後ひずみを呈する。
【００１２】
第２の態様では、吸収性物品は、バックシートと、バックシートに接合されたトップシートと、バックシートとトップシートとの間に配置された吸収性コアと、を備えるシャーシを含む。物品はまた、シャーシに接合された少なくとも１つの持ち手を含む。持ち手は、適用された力の少なくとも３０〜５０％を伝達することができ、持ち手に適用された力が取り除かれた後に、実質的に、又はほぼ実質的にその初期の形状に戻る材料から作製される。
【００１３】
第３の態様では、吸収性物品の使用方法が提供される。第３の態様では、吸収性物品は、バックシートと、バックシートに接合されたトップシートと、バックシートとトップシートとの間に配置された吸収性コアと、を備えるシャーシを含み、シャーシは脚部開口部及び腰部開口部を画定するように締結される。物品はまた、シャーシに接合され、器用さに限界がある者が把持するのを容易にする形状である、少なくとも１つの持ち手も含む。本方法は、着用者の脚を、腰部開口部及び脚部開口部を通して配置する工程、少なくとも１つの持ち手を把持する工程、少なくとも１つの持ち手によってシャーシに力を適用して、物品を脚に沿って着用者の腰に向って上方に移動し、少なくとも１つの持ち手に適用される力の、少なくとも３０〜５０％がシャーシに伝達される工程、及び少なくとも１つの持ち手を放し、少なくとも１つの持ち手がその後実質的に、又はほぼ実質的にその初期の形状に戻る工程、を含む。
【図面の簡単な説明】
【００１４】
本明細書は、本発明と見なされる主題を特定して指摘し明確に請求する特許請求の範囲をもって結論とするが、本発明は、次の説明を添付の図面と併せ読むことで更によく理解されると考えられる。一部の図は、他の要素をより明らかに示すため、選択された要素を省略することで簡略化されている場合がある。一部の図中のこうした要素の省略は、対応する書面による明細書の中で明確に記述されている場合を除き、いずれかの代表的な実施形態の中の特定要素の有無を必ずしも示すものではない。いずれの図面も必ずしも一律の縮尺に従っていない。
【図１】平坦な、非収縮状態の、本開示による吸収性物品の平面図。
【図２】本発明の開示による持ち手の第１実施形態を例示する、図１の吸収性物品の側面斜視図。
【図３ａ】第１の位置、又は第１の状態にある持ち手を例示する図２の吸収性物品の側面斜視図。
【図３ｂ】第２の位置、又は第２の状態にある持ち手を例示する図２の吸収性物品の側面斜視図。
【図３ｃ】第３の位置、又は第３の状態にある持ち手を例示する図２の吸収性物品の側面斜視図。
【図３ｄ】第４の位置、又は第４の状態にある持ち手を例示する図２の吸収性物品の側面斜視図。
【図３ｅ】第５の位置、又は第５の状態にある持ち手を例示する図２の吸収性物品の側面斜視図。
【図４】本発明の開示による持ち手の第２実施形態を例示する、図１の吸収性物品の側面斜視図。
【図５ａ】本発明の開示による持ち手の第３実施形態を例示する、図１の吸収性物品の側面斜視図。
【図５ｂ】本発明の開示による持ち手の第４実施形態を例示する、図１の吸収性物品の側面斜視図。
【図６ａ】本発明の開示による持ち手の第５実施形態を例示する、図１の吸収性物品の側面斜視図。
【図６ｂ】図６ａの線６ｂ−６ｂに沿って撮られる、図６ａの吸収性物品の横断面図。
【図６ｃ】本開示による持ち手の第６実施形態を例示する、横断面図。
【図６ｄ】本開示による持ち手の第７実施形態を例示する、横断面図。
【図７】本発明の開示による持ち手の第８実施形態を例示する、図１の吸収性物品の側面斜視図。
【図８ａ】本発明の開示による持ち手の第９実施形態を例示する、図１の吸収性物品の側面斜視図。
【図８ｂ】本発明の開示による持ち手の第１０実施形態を例示する、図１の吸収性物品の側面斜視図。
【図９ａ】本発明の開示による持ち手の第１１実施形態を例示する、図１の吸収性物品の側面斜視図。
【図９ｂ】本発明の開示による持ち手の第１２実施形態を例示する、図１の吸収性物品の側面斜視図。
【発明を実施するための形態】
【００１５】
定義
本明細書で使用する時、以下の用語は後述で特定される意味を有する。
【００１６】
「吸収性物品」という用語は、身体の排出物を吸収及び収容する、着用可能な手段を指し、より詳細には、着用者の体に接して又は近接して配置されて、体から排出される様々な排出物を吸収し、収容する用具を指す。代表的な吸収性物品としては、おむつ、トレーニングパンツ、物品パンツ型おむつ（すなわち、米国特許第６，１２０，４８７号に示されているような予め形成された腰部開口部及び脚部開口部を有するおむつ）、再締結可能おむつ又はパンツ型おむつ、失禁用ブリーフ及び下着、おむつホルダ及びライナー、パンティライナー等の女性用生理衣類、吸収性挿入物等が挙げられる。
【００１７】
「身体に面する」及び「衣類に面する」とは、それぞれ要素の相対位置又は要素若しくは要素群の面を指す。「身体に面する」とは、要素又は面が他の要素又は面より着用時に着用者により近いことを意味する。「衣類に面する」とは、要素又は面が他の要素又は面より着用時に着用者からより遠く離れていることを意味する（すなわち、要素又は面が、吸収性のある使い捨て物品の上に着用され得る着用者の衣類に最も近い）。
【００１８】
「配置される」とは、要素が特定の場所又は位置に位置決めされていることを指す。
【００１９】
「使い捨て」（吸収性物品に関連して）は、吸収性物品が、洗濯される、あるいは別の方法で吸収性物品として復元されるか再利用されることを一般的に意図しない（すなわち、単一回の使用の後で廃棄される、好ましくはリサイクルされる、堆肥化される、あるいは環境に適合する方法で廃棄されることを意図する）ことを意味する。
【００２０】
「弾性体」、「エラストマー」及び「エラストマーの」とは、一般的に、破断又は破裂することなく少なくとも５０％のひずみに伸ばすことができ、変形力を取り除いた後に実質的にその本来の寸法に回復することができる材料を指す。
【００２１】
「エラストマー材」は、弾性性質を示す材料である。エラストマー材としては、エラストマーフィルム、スクリム、不織布及び他のシート状構造体を挙げることができる。
【００２２】
「延伸性」及び「延伸性がある」とは、緩和された状態の構成要素の幅又は長さを伸ばす又は増大させることができることを意味する。
【００２３】
「フィルム」は、シート状材料であって、長さ及び幅が厚みをはるかに超える材料を指す。典型的に、フィルムは約０．５ｍｍ以下の厚さを有する。
【００２４】
「接合された」とは、要素が直接的に他の要素に取り付けられることによって要素が直接固定される形態、及び要素が中間の部材に取り付けられ、その中間部材が次に他の要素に取り付けられることによって要素が他の要素に間接的に固定される形態を指す。
【００２５】
「積層構造体」又は「積層体」は（特に記載がない限り）、一方の層、材料、構成要素、ウェブ又は基材が、少なくとも部分的にもう一方の層、材料、構成要素、ウェブ又は基材に接着結合される構造体を意味する。本出願の他のところで明記されるように、層、材料、構成要素、ウェブ又は基材は、それ自身の上に折り畳まれそれ自身に接着結合されて、「積層構造体」又は「積層体」を形成してよい。
【００２６】
「横方向の」とは、物品の長手方向縁部から向かい合う長手方向縁部に及び長手方向にほぼ直角に走る方向を指す。横方向の４５度以内の方向は、「横方向」であると見なされる。
【００２７】
「長手方向の」とは、物品の腰縁部から対向する腰縁部に実質的に垂直に及び物品の最大直線寸法にほぼ平行に走る方向を指す。長手方向の４５度以内の方向は、「長手方向」であると見なされる。
【００２８】
「不織布」布地又はウェブは、交互に置かれる（interlaid）個々の繊維又は糸であるが編生地におけるような規則的又は特定可能な様式ではない構造を有するウェブを意味する。不織布布地又はウェブは、例えば、メルトブローイング法、スパンボンディング法、エアレイイング法及び結合カードウェブ法等の多くの方法から形成されている。不織生地の坪量は、材料の１平方ヤード当たりのオンス（osy）又は１平方メートル当たりのグラム（ｇｓｍ）で通常表わされ、繊維直径はミクロンで通常表わされる。（注：ｏｓｙをｇｓｍに変換するには、ｏｓｙに３３．９１を掛ける。）
【００２９】
「外側寄り」及び「内側寄り」とは、それぞれ第２要素に対しておむつの長手方向の中心線から比較的遠くに又は近くに配置される要素の位置を指す。例えば、要素Ａが要素Ｂの外側寄りであるなら、要素Ａは、要素Ｂより長手方向の中心線からより遠くにある。
【００３０】
「パンツ」とは、例えば製造業者によって、利用の前に形成された腰部及び脚部開口部を有し得る、使い捨て吸収性物品を指す。パンツは、着用者の足を脚部開口部に挿入し、パンツを着用者の胴体下部のまわりの位置に滑り込ませることにより身に付けることができる。パンツは通常、「閉じられたおむつ」、「予め締結されたおむつ」、「プルオンおむつ」、「トレーニングパンツ」及び「おむつパンツ」と呼ばれる。
【００３１】
用語「近位」及び「遠位」はそれぞれ、構造体の長手方向又は横方向の中心線に比較的近い又は遠い要素の位置を指す（例えば、長手方向に延びる要素の近位縁が、同じ要素の遠位縁が同じ長手方向中心線に対して配置されているよりも長手方向中心線により近く配置されている）。
【００３２】
「水透過性」及び「水不透過性」は、使い捨て吸収性物品の意図された使用に関連する材料の浸透可能性を指す。具体的には、用語「透水性」は、液体の水、尿又は合成尿が強制圧力がない状態でその厚さを通過できる孔、開口部及び／又は結合された空隙を有する層又は層構造体を指す。逆に、用語「水不透過性」は、液体の水、尿又は合成尿が強制圧力（重力等の自然の力とは別に）がない状態でその厚さを通過できない層又は層構造体を指す。この定義により水不透過性である層又は層構造体は、水蒸気に対して透過性であってよい、すなわち「蒸気透過性」であってよい。当該技術分野において周知のように、吸収性物品に典型的に使用される材料の水、尿又は合成尿に対する透過性を測定する通常の方法は、静水圧力試験であり、静水頭試験又は簡単に「水頭」試験とも呼ばれる。水頭試験（hydrohead）のための好適な周知の簡潔な方法が、ＩＮＤＡ（元国際不織布及び使い捨て用品協会（International Nonwovens and Disposables Association）、現在の不織布工業協会（Association of the Nonwoven Fabrics Industry））及びＥＤＡＮＡ（欧州使い捨て用品及び不織布協会（European Disposables And Nonwovens Association））によって承認されている。
【００３３】
吸収性物品及びキット
図１は、おむつ、又はパンツであり得る吸収性物品２０の代表的な、非限定的実施形態の平面図である。図２〜９に関連して説明されるように、物品２０は、１つ以上の持ち手２００と組み合わせて使用されて、物品２０の使用者、又は介護人が、物品２０を着用者上に配置するのを補助する。物品２０はパンツの形態、すなわち、腰部及び脚部開口部が配置の前に形成されるものと予想されてよいが、持ち手２００が使用される場合、これは、物品２０が製造業者によってパンツに予備成形される必要があることを示唆しない。物品のいくらかの組立が、製造の後、持ち手２００を使用して配置する前に必要とされることがある。
【００３４】
物品２０は、平坦な、非収縮状態（すなわち、弾性によって収縮していない）で図１に示される。物品２０の衣類に面する表面１２０は、見る人に面している。物品２０は、長手方向中心線１００及び横方向中心線１１０を含む。物品２０は、シャーシ２２を含んでもよい。物品２０及びシャーシ２２は、前側腰部領域３６、前側腰部領域３６に対向する後側腰部領域３８、及び前側腰部領域３６と後側腰部領域３８との間に位置する股部区域３７を有することが示されている。腰部区域３６及び３８は、一般に、着用した時に着用者の腰部を取り囲むような物品２０の部分を備える。腰部領域３６及び３８は伸縮性要素を含み、着用者の腰部周りで縮んで改善されたフィット性と封入性を提供してもよい。股部領域３７は、物品２０が着用された時に、一般的に着用者の脚の間に位置付けられる物品２０の部分である。
【００３５】
シャーシ２２の外側周辺部は、長手方向側縁部１２及び終縁部１４により画定される。シャーシ２２は、長手方向の中心線１００にほぼ平行に配向される、対向する長手方向側縁部１２を有してよい。しかし、よりよくフィットさせるため、長手方向側縁部１２を湾曲又は曲げ、平面図で見た時、例えば「砂時計」形状のおむつを製造してもよい。シャーシ２２は、横方向の中心線１１０とほぼ平行して配向される、対向する終縁部１４を有してもよい。
【００３６】
シャーシ２２は、長手方向側縁部２５と、バックシート２６と、トップシート２４とバックシート２６との間の吸収性コア２８とを有する液体透過性トップシート２４を備えてもよい。吸収性コア２８は、身体に面する表面と衣類に面する表面とを有してよい。トップシート２４は、コア２８及び／又はバックシート２６に接合されてもよい。バックシート２６は、コア２８及び／又はトップシート２４に接合されてもよい。他の構造体、要素、又は基材がコア２８とトップシート２４及び／又はバックシート２６との間に配置されてよいことを認識すべきである。ある実施形態において、シャーシ２２は、他の特徴が加えられて複合物品構造体を形成した物品２０の主構造体を備える。トップシート２４、バックシート２６及び吸収性コア２８は、種々の周知の構成で組み立てることができるが、代表的な構成は、概して米国特許第３，８６０，００３号、同第５，１５１，０９２号、同第５，２２１，２７４号、同第５，５５４，１４５号、同第５，５６９，２３４号、同第５，５８０，４１１号及び同第６，００４，３０６号に記載される。
【００３７】
トップシート２４は、一般的に、着用者に少なくとも部分的に接触又は近接して位置決めされてよい物品２０の部分である。好適なトップシート２４は、多孔質発泡体、網状発泡体、有孔プラスチックフィルム、又は天然繊維（例えば、木材又は綿繊維）、合成繊維（例えば、ポリエステル又はポリプロピレン繊維）若しくは天然繊維及び合成繊維の組み合わせの、織布又は不織布ウェブ等の広い範囲の材料から製造することができる。トップシート２４は、一般的に、着用者の皮膚に対して柔軟で柔らかい感触であり、刺激がない。一般的に、トップシート２４の少なくとも一部は液体透過性であり、液体がトップシート２４の厚さを容易に通過することを可能にする。特に好ましいトップシート２４が、テネシー州ブレントウッド（Brentwood, TN）のＢＢＡファイバーウェブ（BBA Fiberweb）から供給元コード０５５ＳＬＰＶ０９Ｕとして入手することができる。
【００３８】
トップシート２４のあらゆる部分は、当技術分野で既知のローションでコーティングされてよい。好適なローションの例として、米国特許第５，６０７，７６０号、同第５，６０９，５８７号、同第５，６３５，１９１号、同第５，６４３，５８８号に記載されるものが挙げられる。トップシート２４は、全体的に又は部分的に伸縮されてもよく、又は伸縮させてトップシート２４とコア２８との間に空隙空間を形成してもよい。弾性を与えられた又は収縮されたトップシートを備える代表的な構造体は、米国特許第４，８９２，５３６号、同第４，９９０，１４７号、同第５，０３７，４１６号、及び同第５，２６９，７７５号に更に詳細に記載されている。
【００３９】
吸収性コア２８は、使い捨ておむつ及び他の吸収性物品に通常使用される多種多様の液体吸収性材料を含んでよい。好適な吸収性材料としては、一般にエアフェルト縮みセルロース詰め物と呼ばれる粉砕木材パルプ、コフォームを含むメルトブローポリマー、化学的に剛化、変性若しくは架橋されたセルロース繊維、ティッシュラップ及びティッシュラミネートを含むティッシュ、吸収性フォーム、吸収性スポンジ、超吸収性ポリマー、吸収性ゲル化材、又は既知の他の吸収性材料若しくは材料の組み合わせが挙げられる。これらの材料は、捕捉層、分配層及び貯蔵層等の流体処理層を含み得る１つ以上の層（図示されていない個々の層）の形態のコア２８を提供するために組み合わされてよい。そのような吸収性コア２８は、他のコア構成要素を安定化するための層（図示せず）を含んでもよい。そのような層としては、コアカバー及びダスティング層が挙げられる。そのような層に好適な材料は、ノースカロライナ州ノックスビル（Knoxville）のアブゴル・アメリカ社（Avgol America, Inc.）から入手可能な、約１０〜１５ｇｓｍの坪量を有する、スパンボンド／メルトブロウン／スパンボンド不織布（メルトブロウン層は、＜５ｇｓｍを占める）である。例えば、吸収性コア２８として使用される代表的な吸収性構造体が、米国特許第４，６１０，６７８号、同第４，６７３，４０２号、同第４，８３４，７３５号、同第４，８８８，２３１号、同第５，１３７，５３７号、同第５，１４７，３４５号、同第５，３４２，３３８号、同第５，２６０，３４５号、同第５，３８７，２０７号、同第５，３９７，３１６号及び同第５，６２５，２２２号、並びに公開された米国特許出願番号０４／０１６２５３６及び同０４／０１６７４８６に記載されている。
【００４０】
バックシート２６は、一般的に、物品２０の衣類に面する表面１２０の少なくとも一部分であり得るように配置される。バックシート２６は、物品２０内に吸収され収容された排出物が、ベッドシーツや下着のような、物品２０と接触し得る物品を汚すことを防ぐように設計されることができる。ある実施形態において、バックシート２６は、実質的に水不透過性である。好適なバックシート２６材料としては、インディアナ州テレホート（Terre Haute）のトレデガー・インダストリーズ社（Tredegar Industries Inc.）により製造され、商標名Ｘ１５３０６、Ｘ１０９６２及びＸ１０９６４のもとに販売されるもの等のフィルムが挙げられる。他の好適なバックシート２６材料としては、蒸気が物品２０から逃れるのを可能にするが、同時に排出物がバックシート２６を通り抜けるのを防止する通気性材料を挙げることができる。代表的な通気性材料としては、織布ウェブ、不織布ウェブ、フィルムコーティング不織布ウェブなどの複合材料、並びにエスポアール（ESPOIR）ＮＯの名称で日本の三井東圧株式会社（Mitsui Toatsu Co.）により製造されているミクロ孔質フィルム及びエグザイア（EXXAIRE）の名称でテキサス州ベイシティー（Bay City）のエクソン・ケミカル社（EXXON Chemical Co.）により製造されているようなミクロ孔質フィルムなどの材料を挙げることができる。ポリマーブレンドを含む好適な通気性複合材料は、名称ハイトレル（HYTREL）ブレンドＰ１８−３０９７として、クロペイ社（Clopay Corporation）（オハイオ州シンシナティー（Cincinnati））から入手可能である。そのような通気性材料が、ＰＣＴ国際公開特許第９５／１６７４６号及び米国特許第５，８６５，８２３号により詳細に記載されている。不織布ウェブ及び孔あき成形フィルムを含む他の通気性バックシートは、米国特許第５，５７１，０９６号に記載されている。代表的である好適なバックシートは、米国特許第６，１０７，５３７号に開示されている。好適なバックシート２６を提供するため、他の好適な材料及び／又は製造技術が使用されてよく、これらには表面処理、特定のフィルム選定及び加工、特定のフィラメント選定及び加工などが含まれるが、これらに限定されない。
【００４１】
バックシート２６は、図１の切欠に示したような１つを超える層から構成されてもよい。バックシート２６は、外側カバー２６ａと内側層２６ｂとを備えてよい。外側カバー２６ａは、長手方向側縁部２７ａを有してよく、内側層２６ｂは、長手方向側縁部２７ｂを有してよい。外側カバー２６ａは、柔軟な不織布材で作製できる。内側層２６ｂは、実質的に水不透過性のフィルムで作製できる。外側カバー２６ａと内側層２６ｂは、接着剤、又は任意の他の好適な材料若しくは方法により一緒に接合されてよい。特に好適な外側カバー２６ａは、ドイツ、パイネ（Peine）のコロビン社（Corovin GmbH）から供給元コードＡ１８ＡＨＯとして入手でき、特に好適な内側層２６ｂは、ドイツ、グロナウ（Gronau）のＲＫＷグロナウ社（Gronau GmbH）から供給元コードＰＧＢＲ４ＷＰＲとして入手できる。本明細書では様々なバックシート構成が考えられているが、本発明の趣旨及び範囲から逸脱することなく様々な他の変更及び修正が可能であることは当業者には明らかである。
【００４２】
物品２０は、前側耳部４０及び後側耳部４２を含んでもよい。前側耳部４０及び／又は後側耳部４２は、物品２０の単一要素であってもよい（すなわち、それらは、物品２０に固定された別々に操作できる要素ではなく、むしろ物品の種々の層の１つ以上から形成され種々の層の１つ以上の延伸部である）。ある実施形態において、前側耳部４０及び／又は後側耳部４２は、図１に示したようにシャーシ２２に接合された別個の要素であってもよい。別個の前側耳部４０及び／又は後側耳部４２は、接着剤結合、圧力結合、熱結合等の、当該技術分野において既知の任意の結合方法によりシャーシ２２に接合できる。他の実施形態において、前側耳部４０及び／又は後側耳部４２は、シャーシ２２に接合された別個の要素からなってよく、シャーシ２２は、前側耳部４０及び／又は後側耳部４２の上に延びる層、要素又は基材を有する。前側耳部４０及び後側耳部４２は、延伸性、非延伸性、伸縮性又は非伸縮性であってよい。前側耳部４０及び後側耳部４２は、不織布ウェブ、織布ウェブ、編生地、高分子及びエラストマーフィルム、有孔フィルム、スポンジ、発泡体、スクリム並びにそれらの組み合わせ及び積層体から形成できる。ある実施形態において、前側耳部４０及び後側耳部４２は、不織布／エラストマー材積層体又は不織布／エラストマー材／不織布積層体で形成できる。好適な伸縮性後側耳部４２は、２つの不織布層（テネシー州ブレントウッド（Brentwood）のＢＢＡファイバーウェブ（BBA Fiberweb）から供給元コードＦＰＮ３３２として入手可能なような）の間に配置されるエラストマーフィルム（バージニア州リッチモンド（Richmond）のトレデガー社（Tredegar Corp）から供給元コードＸ２５００７として入手可能なような）を含む積層体であってもよい。以下の実施形態は、後側耳部４２の設計及び構造を対象とするが、これらの実施形態は、同等に前側耳部４０の設計及び構造に適用できる。以下の実施形態のいかなる組み合わせも後側耳部４２及び／又は前側耳部４０に使用されてよいことを認識すべきである。
【００４３】
物品２０は締結装置５０含んでもよい。締結された場合、締結装置５０は、前側腰部区域３６と後側腰部区域３８とを連結して物品２０の着用中に着用者を取り囲むことができる腰部周囲を有する腰部開口部をもたらし、着用者の脚が依存し得る脚部開口部を提供する。締結装置は、再締結可能な（テープタブ、フック・アンド・ループ（hook and loop）締結構成要素、タブ＆スロット、バックル、ボタン、スナップなどの連結締結具、及び／又は雌雄同体型（hermaphroditic）締結構成要素、粘着ボンドなど）及び／又は再締結不可能な（例えば、継ぎ目、溶接、接着剤など）結合を使用して物品の部分を互いに接合することを含むがこれらに限定されない、任意の好適な技術により、前側腰部区域３６と後側腰部区域３８とを連結してもよい。
【００４４】
したがって、図１は、係合部材５２、及び受容部材５４を有する締結装置５０を例示している。更に、一実施形態では、係合部材５２は、フック、ループ、接着剤、粘着剤、又は他の締結部材を含んでよい係合表面５３を有し、受容部材５４は係合部材５２の係合を可能にする表面を有してよい。例えば、受容部材５４は、フック、ループ、接着剤、粘着剤、及び締結部材５２を受けることができる他の締結構成要素を含んでもよい。好適な係合部材５２と受容部材５４との組み合わせとしては、フック／ループ、フック／フック、接着剤／高分子フィルム、粘着剤／粘着剤、接着剤／接着剤、タブ／スロット、及びボタン／ボタン孔が挙げられるが、これらに限定されない。締結装置５０は締結具を含むが、他のいかなる既知の締結手段でも一般的には許容可能である。いくつかの代表的な面上締結装置が、米国特許第３，８４８，５９４号、同第４，６６２，８７５号、同第４，８４６，８１５号、同第４，８９４，０６０号、同第４，９４６，５２７号、同第５，１５１，０９２号及び同第５，２２１，２７４号に開示されている。代表的な連結締結装置が、米国特許第６，４３２，０９８号に開示されている。
【００４５】
別の実施形態では、物品２０は、パンツを作るために製造業者に予備成形されてもよい。パンツは、いかなる好適な技法によって予備形成されてもよく、これには再締結可能及び／又は再締結不可能な結合（例えば、縫い目、溶着、接着剤、粘着剤ボンド、締結具など）を用いて物品の一部を互いに接合することが挙げられるが、これらに限定されない。例えば、図１の物品２０は、係合された締結装置５０を有して製造されてもよい（すなわち、係合部材５２は受容部材５４に接合される）。このような方法で、一対の前側耳部４０及び一対の後側耳部４２が提供される場所で（例示される）、各１つの前側耳部４０が各１つの後側耳部４２に締結されることにより、一対の接合された前側及び後側耳部４０、４２を画定する（これもまた例示される）。更なる実施形態では、前側耳部４０が、接着剤接着、機械的接着、又は当該技術分野において既知の他のいくつかの接着技術などの接着方法によって、後側耳部４２に接合されるように、図１の物品２０が製造されてよい。好適なパンツが、米国特許第５，２４６，４３３号、同第５，５６９，２３４号、同第６，１２０，４８７号、同第６，１２０，４８９号、同第４，９４０，４６４号、同第５，０９２，８６１号、同第５，８９７，５４５号及び同第５，９５７，９０８号に開示される。
【００４６】
締結装置５０はまた、米国特許第４，９６３，１４０号にて開示されているように、物品を廃棄形体に保持するための手段を提供してもよい。締結装置５０はまた、米国特許第４，６９９，６２２号にて開示されているように、１次及び２次締結装置を含んでもよい。締結装置５０は、米国特許第５，２４２，４３６号、同第５，４９９，９７８号、同第５，５０７，７３６号、及び同第５，５９１，１５２号に記載されるように、重なり合っている部分の移動を低減するか、又は噛み合いを改善するように構成されてよい。
【００４７】
物品２０は、バリアカフ６０及び／又はガスケッティングカフ７０を含んでもよい。ガスケッティングカフ７０は、外側レッグカフ、レッグバンド、サイドフラップ、レッグカフ又は伸縮性カフとも呼ぶことができる。バリアカフ６０は、第２カフ、内側レッグカフ又は「立った」伸縮フラップと呼ぶこともできる。
【００４８】
ガスケッティングカフ７０は、実質的に非弾性的であってよく、又は着用者の脚に動的にフィットするように弾性的延伸性であってもよい。ガスケッティングカフ７０は、トップシート２４、バックシート２６又は物品２０の形成に使用される任意の他の好適な基材に動作可能に接合される１つ以上の伸縮部材７２（弾性ストランド等）により形成されてもよい。好適なガスケッティングカフ構成が、米国特許第３，８６０，００３号に更に記載される。
【００４９】
バリアカフ６０は、長手方向中心線１００にほぼ平行に走る遠位縁６１及び近位縁６３を有することができる。バリアカフ６０は、物品２０の長手方向長さ全体にわたってよい。バリアカフ６０は、フラップ６２及び伸縮部材６４（弾性ストランド等）により形成できる。フラップ６２は、物品２０を形成する既存材料又は要素のいずれかの連続的な延伸部であってよい。他の実施形態では、図１に示すように、バリアカフ６０は、別個の要素であってもよい。そのような実施形態では、フラップ６２及び伸縮部材６４を含むバリアカフ６０が形成され、その後、結合部６５によりシャーシ２２に接合されてもよい。
【００５０】
フラップ６２は、プラスチックフィルム、並びに天然繊維（例えば、木材又は綿繊維）、合成繊維（例えば、ポリエステル又はポリプロピレン繊維）又は天然繊維及び合成繊維の組み合わせの、織布又は不織布ウェブ等の種々の基材を含んでよい。ある実施形態において、フラップ６２は、スパンボンドウェブ、メルトブロウンウェブ、カードウェブ及びこれらの組み合わせ（例えば、スパンボンド−メルトブロウン複合材料及び変異型）等の不織布ウェブを含んでよい。前述した基材の積層体を使用してフラップ６２を形成してもよい。特に好適なフラップは、テネシー州ブレントウッド（Brentwood）のＢＢＡファイバーウェブ（BBA Fiberweb）から供給元コード３０９２６として入手可能な不織布を含み得る。特に好適な伸縮部材は、カンザス州ウィチタ（Wichita）のインビスタ（Invista）から供給元コードＴ２６２Ｐとして入手できる。バリアカフ及び前記バリアカフの好適な構成を有するおむつの更なる記載を、米国特許第４，８０８，１７８号及び同第４，９０９，８０３号に見出すことができる。伸縮部材６４は、一般にバリアカフ６０の長手方向長さに及ぶ。他の実施形態では、弾性部材６４は、少なくとも股部区域３７内のバリアカフ６０の長手方向長さに及んでよい。伸縮部材６４は、バリアカフ６０の近位縁６３が通常の着用時に着用者に接触したままであるような十分な弾性を示し、それによりバリアカフ６０のバリア性を向上させるのが望ましい。伸縮部材６４は、対向する長手方向末端部でフラップ６２に接続されてもよい。ある実施形態において、フラップ６２は、伸縮部材６４を取り囲むようにそれ自身の上に折り畳まれてもよい。フラップ６２の折り畳まれた部分を固定するため、結合部６７が使用されてもよい。
【００５１】
バリアカフ６０及び／又はガスケッティングカフ７０は、トップシートについて上述したようにローションで全体若しくは一部が処理されてもよく、又は米国特許出願番号第１１／０５５７４３号（２００５年２月１０日出願）に詳述されているように疎水性表面コーティングで完全に若しくは部分的にコーティングされてもよい。
【００５２】
物品２０はまた、シャーシ２２に接合された少なくとも１つの持ち手２００を含んでもよく、持ち手２００は、着用者上への物品２０の適用、又は着用者からの物品の取り外しを補助する。持ち手２００は、使用に際し、元の位置から偏向するように、また、例えば、脚部開口部を通じた着用者の足の挿入、物品を着用者の脚部及び着用者の臀部まで持ち上げること、理想的な、ぴったりとしたフィットの達成、及び物品２０を下げることを含む、物品２０の適用、又は取り外しに必要な力に耐えるように設計されている。持ち手２００はまた、持ち手が物品２０を適用する、又は取り外すために使用された後のある時点で、元の形状に戻るように設計されている。
【００５３】
特に、持ち手２００は、好ましくは、ユーザー（子供、又は介護人のいずれであっても）が持ち手２００を使用して物品２０を着用者上に配置するのを補助する寸法及び形状であってよい。持ち手２００は特に、制限された運動神経及び／又は器用さを有する人（子供など）による使用を促進することができる。持ち手２００が変形するに従い、持ち手２００は実際に、ユーザーが持ち手を把持するのを、ユーザーが持ち手２００を最初に把持する時よりも高い程度促進することができる。使用中、持ち手２００は、持ち手に適用された力のかなりの量（少なくとも３０〜５０％）を、最小のひずみで伝えることが可能であり、その結果、持ち手２００によってシャーシ２２に伝えられる絶対力は、少なくとも約２０Ｎであり得る。更に、持ち手２００が放された後、持ち手２００は、実質的に、又はほぼ実質的にその初期の形状に戻り、それによって持ち手２００が着用者、又は着用者の衣類の妨げとなる程度が制限されるはずである。
【００５４】
これが達成され得る１つの方法は、緩慢に回復するエラストマーの持ち手２００を形成することによるものであり、このエラストマーは以下でより詳細に説明される。緩慢に回復するエラストマーは、２サイクルヒステリシス試験によって測定した時、５分間の維持時間の後、６０％ひずみ、３７℃で少なくとも約０．０４Ｎ／ｍｍ２の正規化された除荷力を呈し得るが、以下でより詳細に説明される。緩慢に回復するエラストマーはまた、伸長後回復試験によって測定した時、２２℃での１５秒間の回復の後に６０％以上の伸長後ひずみを呈し得るが、これも以下でより詳細に説明される。特に、緩慢に回復するエラストマーは、エラストマーポリマー、任意で少なくとも１つの変性樹脂、及び任意で１つ以上の添加剤を含む組成物から調製されてよい。
【００５５】
更に、エラストマーは、例えば積層体などの、複合構造体中に使用されてもよい。すなわち、エラストマーは、例えば、エラストマーフィルムの形態で、不織布材料の１つ以上の層に接合されてもよい。２つの不織布層が使用される場合、エラストマーフィルムは、不織布層の間に配置され、例えば、エラストマーフィルムの両側に適用される接着剤の利用により（別個に、又は連続的に）これに接合されてよい。不織布材料は、テネシー州ナッシュビル（Nashville）のＢＢＡノンウーブンズ（BBA Nonwovens）から、「高度に伸張可能なカード不織布（Highly Elongatable Carded Nonwoven）」の表記で入手可能であり得る。更に、接着剤は、ウィスコンシン州ミルウォーキー（Milwaukee）のＡｔｏフィンドレイ（Ato Findley）から、Ｈ２０３１の表記で入手可能であり得る。接着剤は、約０．１１６ｇｓｍの坪量で、例えば米国特許第３，９９１，１７３号に例示されるように螺旋模様で適用されてよい。あるいは、層は、熱接着、超音波接着、圧力接着、動的機械的接着、又は当該技術分野において既知の他のいかなる方法によって接着されてもよい。
【００５６】
持ち手２００の形状及び寸法に関して、これらの特徴はかなり異なってよい。持ち手２００の配置も、物品２０の特定の領域に制限されず、物品２０全体を囲むことを含め、物品２０のどの部分にも及んでよい。したがって、図４、５ａ〜ｂ、６ａ〜ｄ、７、８ａ〜ｂ、及び９ａ〜ｂに例示される実施形態は、代表的ではあるが非包括的であることが理解されるであろう。異なる実施形態を組み合わせた（例えば、図５ａ、５ｂのタブの１つと、図７のループの１つ）持ち手２００の使用もまた、本開示の範囲内であることも、理解されるであろう。
【００５７】
したがって、図２は、持ち手２００の第１の実施形態を例示する。この実施形態によると、持ち手２００は、シャーシ２２に付属する一対のフラップ２１０（このうちの１つのみが示されている）を含んでもよい。適用又は取り外し中、着用者又は介護人の指は、本明細書において示される実施形態によると、このフラップ２１０の下に、中に、又はこれを通して挿入されてよい。理論に制限されるものではないが、フラップ２１０は、物品２０を適用又は取り外す個人に、指と掌との間でフラップをへこませる、又は指と親指でフラップ２１０を囲むようにさせる。
【００５８】
図２に示される実施形態によると、フラップ２１０は、耳部４０、４２を横断して配置されてよい。特に、フラップ２１０は、長手方向領域２１２でバックシート２６とは別個に画定され、これに接合されてよく、一方は、前側腰部区域３６の耳部４０の前、もう一方は後側腰部区域３８の耳部４２の後ろである。フラップ２１０は、例えば接着剤、熱接着、圧力接着、超音波接着、動的機械的接着、又はこれらの組み合わせによってシャーシ２２に接合されてよく、これはまた、本明細書において記載される他の実施形態の持ち手２００を画定する他の構造にも当てはまる。
【００５９】
図２の実施形態によると、得られるフラップ２１０は、着用者（又は介護人）がフラップ２１０を指と係合させることができるような、有効な長さのものであるべきである。フラップ２１０の有効な長さは、フラップ２１０の上端部２１４から下端部２１６までに画定されることができ、約１０ｍｍ〜約５０ｍｍであり得る。ある実施形態では、有効な長さは、約２０ｍｍ〜約３０ｍｍであり得る。有効な長さの選択は、フラップ２１０が接合される物品の寸法を含む、多数の要因に依存し得ることが、理解されるであろう。
【００６０】
図３ａ〜３ｅは、図２の実施形態による持ち手２００（フラップ２１０）を示し、これらは持ち手２００の使用中に様々な位置、又は状態に見える場合がある。図３ａは、着用者がその脚を、腰部開口部、及び脚部開口部を通して配置したが、いかなる力もフラップ２１０に適用される前の、第１の位置、又は第１の状態のフラップ２１０を例示している。図３ｂは、ユーザー（子供、又は介護人）が、物品２０を子供に配置するためにフラップ２１０を把持する時の、第２の位置、又は状態のフラップ２１０を例示している。フラップ２１０の何らかの僅かな変形が既に生じていることがあり、この変形によりユーザーがフラップ２１０を把持しやすくすることができる。これは、吸収性物品２０の着用を自ら助けるためにフラップ２１０を使用する子供にとって特に重要であり得る。図３ｃは、第３の実質的に変形した、又はほぼ実質的に変形した位置又は状態のフラップ２１０を例示しており、ここでかなりの力がフラップ２１０に適用され得る。この状態においてさえも、フラップ２１０は、フラップ２１０に適用された力の実質的な割合（例えば、３０〜５０％）を物品２０の残部に移動して物品２０を脚に沿って子供の腰まで持ち上げるのに十分な剛性を有する。図３ｄは、子供又は介護人がフラップ２１０を放した後の、例えば物品２０が配置された後の、第４の位置又は状態のフラップ２１０を例示している。この位置又は状態で、フラップ２１０は既に回復のプロセスを開始している。図３ｅは、回復のプロセスが完了した後の、第５の位置又は状態のフラップ２１０を例示している。この位置又は状態で、領域２１２の間のフラップ２１０の長さは、図３に例示される領域２１２の間のフラップ２１０の元の長さと実質的に同じであるが、いくつかの実施形態によると、図３ｅの状態のフラップ２１０の長さは、図３ａの状態のフラップの長さよりも長い場合がある。
【００６１】
図４は、図２及び３ａ〜３ｅに示されるものと同様の持ち手２００の第２の実施形態を例示している。この実施形態によると、持ち手２００はまた、シャーシ２２に付属する一対のフラップ４１０（片方のみが図示される）も含む。適用又は取り外し中、着用者又は介護人の指が、本明細書において示される実施形態によると、このフラップ４１０の下に、中に、又はこれを通して挿入されてよい。しかしながら、図４に示される実施形態によると、フラップ４１０は、耳部４０の前方の前側腰部区域３６に位置付けられる。
【００６２】
図５ａ、及び５ｂは、持ち手２００の更なる実施形態を例示している。これらの実施形態によると、持ち手２００は、股部領域３７から離れた、腰部区域３６、３８に付属するタブ５００を含む。タブ５００は、耳部４０のやや前方（図５ａ、５ｂ）、並びに腰部区域３６、３８（図５ｂ）に沿った他の場所に配置されてもよい。タブ５００の配置は、例示されるように、何らかの対称の形状を呈するが、タブ５００は、非対称な方法で配置されてもよい。図５ａ及び５ｂに例示される実施形態によると、タブ５００は、例えばバックシート２６など、シャーシ２２に接合された、緩慢に回復するエラストマーの部分によって画定される。タブ５００は、例えば、着用者（又は介護人）の指の間でタブ５００をつまむことによって係合し、長手方向に引っ張られてよい。
【００６３】
例示されるように、２つのタブ５００が図５ａの実施形態に例示され、同時に３つのタブ５００が図５ｂの実施形態に例示されるが、より多い、又はより少ないタブ５００が含まれてもよい。両実施形態によると、２つのタブ５００は、耳部４０のすぐ前の前側腰部区域３６にある。図５ｂの実施形態では、追加のタブは、耳部４２の間中央の、後側腰部区域３８のバックシート２６に接合される。タブ５００は、着用者（又は介護人）が物品２０を着用者上に配置するのを補助するために、単一で、又は組み合わせて使用されてよい。
【００６４】
例えば、図５ｂの実施形態では、着用者（又は介護人）は前側腰部区域３６の２つのタブ５００を把持してよい。あるいは、着用者（又は介護人）は、前側腰部区域３６のタブ５００の１つと、後側腰部区域３８のタブ５００とを把持してよい。更なる代替として、着用者（又は介護人）は後側腰部区域３８のタブ５００のみを把持してよい。例えば、着用者がその脚を、脚部開口部を通して配置する時、特定の組み合わせが使用され、物品２０の着用者上の適当な位置でのぴったりとした最終的な配置のために、他の組み合わせが使用されてよい。
【００６５】
タブ５００の寸法は、上述されたように、着用者（又は介護人）が指の間でタブ５００をつまむことによってタブ５００を係合できるような、有効な寸法であってよい。タブ５００の最大寸法は、物品２０に快適なフィットを維持させ、他の外側の衣類（例えば、ズボン、ガウン）の適用への干渉を制限する要望により制限され得ることが理解されるであろう。理想的には、タブ５００は、約１０ｍｍ〜５０ｍｍの有効な長さ（タブ５００の終縁部１４と長手方向の極縁部との間で測定される）を有してよい。最も好ましくは、タブ５００は、約２０ｍｍ〜３０ｍｍの長さを有する。
【００６６】
更なる実施形態が、図６ａ〜ｄに例示されている。これらの実施形態では、持ち手２００は、物品２０のシャーシ２２から突出する隆起部６００によって画定される。隆起部６００は、バックシート２６の衣類に面する表面１２０に接合された、及び／又はそれに付属する突出部であってよい。また例示されるように、隆起部６００は、終縁部１４、又はその近傍にある腰部区域３６、３８に位置してよい。更に、隆起部６００は、完全に、部分的に、又は断続的に物品２０を囲んでよい。したがって、部分的に円周周辺を囲む隆起部が示されているが、隆起部６００は、完全に、又は断続的に物品２０を囲む場合でも、同等の機能的目的を果たす。隆起部６００は、隆起部６００が増大した厚さ（すなわち、長手方向軸及び横軸によって画定される平面に対して直交して測定される直線寸法）をもたらすように、最小の有効断面寸法を有してよく、これは着用者（又は介護人）の指によって係合されるか、把持され、長手方向に引っ張られてよい。
【００６７】
まず図６ａ、及び６ｂを見ると、隆起部６００は、比較的にほぼ半円形の断面寸法を有してもよく、緩慢に回復するエラストマーから作製されることができる挿入物６１０を含む。挿入物６１０は、内側層６２０及び外側層６３０と称されてよい、２つの層の間に挟まれてよい。一実施形態によると、バックシート２６の内側層２６ｂは、内側層６２０を画定してよく、外側層２６ａは外側層６３０を画定してよく、挿入物４１０はしたがって、バックシート２６の衣類に面する表面１２０に付属してよい。あるいは、挿入物４１０は、例えばバックシート２６と、挿入物６１０に隣接するバックシート２６に溶接されてよい別個の貼付剤との間に挟まれてよい。図６ａ及び６ｂに例示される実施形態によると、層６２０、６３０は、挿入物６１０のすぐ隣の接触点６４０で互いに溶接されて、層６２０、６３０に対する挿入物の移動を制限することができる。任意に、挿入物６１０は、１つ以上の層６２０、６３０に接合されてよい。
【００６８】
挿入物６１０を２つの層の間に挟む必要はなく、単一層６５０で十分であることが理解されるであろう。したがって、図６ｃに例示される実施形態において、挿入物６１０は、単一層６５０の間に挟まれ、この層６５０は、第１領域６５２、及び挿入物６１０を覆って又は周囲で折り畳まれる第２領域６５４を有してよい。このような構成においては、単一層６５０は、挿入物６１０のすぐ隣の接触点６５６において（例えば、溶接により）それ自体に接合されて、挿入物６１０の相対的な動き又は移動を制限する。特に挿入物６１０が終縁部１４のすぐ隣に配置された場合、単一の接触点６５６が存在してもよいことは、留意すべきである。
【００６９】
更に別の実施形態として、隆起部６００は、重なる層なしに、物品２０のバックシート２６に固着されてよい。例えば、図６ｄはバックシート２６の終縁部１４に沿ったキャップ６７０を例示しており、緩慢に回復するエラストマーから作製される。キャップ６７０は実質的に円形の横断面を有し、キャップ６７０がシャーシ２２に接合される場所でのみ不連続である。キャップ６７０は終縁部１４に沿って接合されるか（図示されるように）、又は終縁部１４のすぐ隣の衣類に面する表面１２０、終縁部１４のすぐ隣の着用者に面する表面、並びにこれらの組み合わせ及びこれらの間に接合されてよい。
【００７０】
隆起部６００の最大有効断面寸法は変化してよいが、物品２０の快適なフィットを維持し、他の外側の衣類の着用の妨げ（例えば、ズボン、ガウンなどの自身での適用を妨げる）を制限することが望まれ得ることが理解される。例えば、隆起部６００は、約２ｍｍ〜約１５ｍｍの有効断面寸法を有してよい。特定の実施形態では、隆起部６００は、約５ｍｍ〜約８ｍｍの有効断面寸法を有してよい。有効断面寸法は、隆起６００での物品２０の最大厚さと、隆起部６００のすぐ隣で測定される物品２０の最小厚さとの差として説明される。
【００７１】
図７は、持ち手２００の更に別の実施形態を例示している。図７に示されるように、持ち手２００は、３つのループ７００を含む。ループ７００は、緩慢に回復するエラストマーの単一の断片から形成され、材料片の遠位端がこれ自身に折り返され共に接合されてもよい。得られた構造体は、次にシャーシに接合されてよい。あるいは、ループ７００の遠位端の溶接、及びループ７００の物品２０への接合は、当該技術において既知のいかなる方法（例えば、溶接）によって単一の工程で実行されることもできる。例示されるように、ループ７００は、前側腰部区域３６の耳部４０の僅かに前、及び後側腰部区域３８の耳部４２の間中央に配置される。ループ７００は、着用者、又は介護人によって把持されてよく、指はループ７００の壁によって画定される開口部７０２の内部に、又はこれを通して配置される可能性がある。
【００７２】
ループ７００の位置及び接合は、変化してよい。例えば、本発明の別の実施形態では、ループ７００は、物品２０上の他の場所に配置されてもよい。例えば、図５ｂに示される実施形態と同様に、２つのループ７００が前側腰部区域３８に配置されてもよく、又は単一のループ７００が後側腰部区域３８に配置されてもよい。ループ７００は、遠位端の一方又は両方をトップシート２２とバックシート２６との間に配置することによって、シャーシ２２に接合されてもよい。あるいは、ループ７００の遠位端は、終縁部１４、又はその付近において、トップシート２２若しくはバックシート２６に取り付けられてよく、又はトップシート２２若しくはバックシート２６は、例えば緩慢に回復するエラストマーから作製される終縁部１４に隣接する領域を有してもよい。
【００７３】
図８ａ、８ｂ、９ａ、及び９ｂは、持ち手２００が、物品に付属せず、典型的な物品の寸法を超えて延びない、物品２０の領域を画定する、緩慢に回復するエラストマーによる１つ以上の部分によって画定される、実施形態を例示している。換言すれば、緩慢に回復する材料の部分は、このように画定された物品２０の領域が、長手方向及び／又は横寸法及び／又は厚さにおいて、持ち手２００を含まない同様の構造体の典型的な物品２０と異ならないように見えるような方法で、物品２０に接合されるが、開口部又はスリットが持ち手２００の使用を容易にするために提供されてもよい。
【００７４】
その結果、図８ａ、及び８ｂは、持ち手２００の実施形態を例示しており、物品２０の領域８００は、緩慢に回復するエラストマーの部分によって画定され、この領域８００は、内部に開口部若しくは開口を含むか、又は境界に開口部を含むかのいずれかである。例示される双方の実施形態において、持ち手２００は物品２０の腰部区域３６の、耳部４０の僅かに前側の領域８００によって画定されるが、領域８００は、代わりに物品２０の後及び／又は前に画定されてもよいことが理解される。領域８００を画定する、緩慢に回復するエラストマーの部分は、長手方向縁部８０２、８０４に沿って、トップシート２２若しくはバックシート２６のいずれかに接合されてもよいし、又はトップシート２２とバックシート２６との間に挟まれ、接合されてもよい。領域８００は、また、耳部４０、４２に部分的に、又は完全に（図８ｂ）接合されてよい。
【００７５】
図８ａの実施形態では、領域８００は、端部８０２、８０４で、バックシート２６に取り付けられ、領域８００と耳部４０、４２との間の境界面８０６に沿っては取り付けられていない。境界面８０６はしたがって、実質的に線状スリット８１０の形態で開口部、又は開口を画定する。着用者は、スリット８１０を通して指を挿入し、領域８００を把持し、物品２０を適用又は取り外すことができる。
【００７６】
図８ｂの実施形態では、領域は、端部８０２、８０４で、バックシート２６に取り付けられ、また領域８００と耳部４０、４２との間の境界面８０６に沿って取り付けられている。穴８２０（すなわち、無視できない程度の面積の空隙）の形態の開口部又は開口は、領域８００に画定されてよい。このような穴８２０は、スリット８１０と同様の方式で動作する一方で、着用者（又は介護人）により見えやすい。穴８２０は、例示されるように楕円形であってよいが、他の形状もまた使用されてよい。
【００７７】
図９ａ及び９ｂは、全体に（図９ａ）又は一部に（図９ｂ）区別できる把持可能な表面特徴を有する、緩慢に回復する材料の領域９００により画定される持ち手２００の実施形態を例示している。区別できる把持可能な表面特徴は、領域９００のすぐ隣の表面と比較した際の、質感、柔軟性、粘着度、又は摩擦における明白な違いから生じ得る。この違いは、様々な方法によって領域９００に付与されることができる。
【００７８】
一実施例として、明白な摩擦の違いから生じる、区別できる把持可能な表面特徴を考察する。一般に、バックシート２６は、約０．１５〜約０．２３の静止摩擦の係数を有し得る。これらの比較的低い静止摩擦の係数の値は、物品２０の上に衣類を適用するのを容易にする。本開示により、領域９００は、約０．３より大きく４．０未満まで、例えば約０．４と約２．０との間、又は約０．７と約１．５との間の静止摩擦の係数を呈する、区別できる把持可能な表面特徴を有し得る。静止摩擦の係数は、米国特許第６，６２６，８７９号に開示される試験方法に従って測定されることができる。
【００７９】
実施形態により、本特徴は、例えばコーティング又は添付剤によって、区別できる把持可能な表面特徴を呈する材料を領域９００に接合することによって、領域９００に付与されることができる。前の実施例に関し、領域９００が、コーティングによって材料に接合される場合は、感圧性材料、又は粘着性材料のコーティングが、静止摩擦の係数を増大させるために使用されてよい。このようなコーティングとしては、エチレンビニルアセテートコポリマー、ポリビニルアセテート、スチレン−ブタジエン、セルロースアセテートブチラート、エチルセルロース、アクリル、合成ゴムホットメルト、及び他のホットメルトが挙げられるが、これらに限定されない。コーティングの方法としては、押出成形、コーティング、スロットコーティング、グラビア印刷、及びスクリーン印刷が挙げられるが、これらに限定されない。後の実施例に関し、領域９００が貼付剤に接合される場合は、貼付剤は、薄く、可撓性であり、その領域に固着されることができる、多くの異なる材料から作製されてよい。このような貼付剤を作製することができる材料の例としては、高分子フィルム、有孔フィルム、繊維性不織布シート、スクリム、スクリム網、又は繊維性のフロック加工基板が挙げられるが、これらに限定されない。貼付剤は、熱／圧力固着など、当該技術分野において既知の固着手段によって領域に固着されることができる。コーティング又は貼付剤による積層の、より詳細な議論は、上記の米国特許第６，６２６，８７９号、特に保持領域に関する開示に含まれる。
【００８０】
増大した摩擦係数の代わりに、又はそれに加えて、領域９００の追加の表面特徴が含まれてもよい。例えば、領域９００は、その領域を含む材料が明白な品質を有するように、質感を呈してもよい。例えば、質感は、領域９００をリングロールすることによって機械的に付与されることができる。リングロールの代表的な方法は、米国特許第６，３８３，４３１号に例示されている。領域９００は、その領域を含む材料が触れることによって撓むように、柔軟性を呈することができる。領域９００は、触れるとその領域を含む材料がわずかに接着性又は粘着性の触感を有するように、粘着性を呈することができる。
【００８１】
前に示された持ち手の実施形態の１つ以上を含む吸収性物品２０は、複数の吸収性物品２０を含むキットに包装されてよい。吸収性物品２０は、持ち手２００が容易に利用できるように、キット内に配置される。容易に利用できる、とは、持ち手２００が着用者や介護人に見えること、及び持ち手２００が、吸収性物品２０をキットから取り外すために把持され使用されてよいことを指し得る。キットは、物品２０が利用可能となるために、機能できる状態にすることを必要とすることがある（例えば、ふたを開ける、パネルを取り外すなど）。好ましい一実施形態では、キットは、１つの実体として纏められ、熱可塑性フィルムのオーバーラップで覆われた、多数の吸収性物品２０によって画定される。特に好ましいキットは、米国特許第５，９３４，４７０号に示されている。このキットは、スペースを節約すると同時に、吸収性物品２０が消費者に配送され、消費者により購入されることを可能にする。熱可塑性フィルムのカバーは、理想的には、熱可塑性フィルムのカバーの一部を取り除いて、吸収性物品を利用できるようにする、開口手段を含む。典型的な開口手段としては、熱可塑性フィルムのカバー内の実質的に連続する脆弱線、好ましくは穿孔が挙げられる。代表的な開口手段が、米国特許出願番号第５，０３６，９７８号にて提案されている。
【００８２】
開口手段を機能できる状態にした際、吸収性物品２０は、キットから取り外すために個別に又は複数で提示されてもよい。このような提示とは関係なく、持ち手２００は目に見え、把持可能である。持ち手２００は、キットが開いた形で提示されてもよい。持ち手２００は、物品２０がキットの中で折り畳まれ及び／又は積み重ねられた形で、提示されてもよい。持ち手２００は、単に持ち手２００の大きさ、形状、又は位置によって提示されてもよい。典型的には、吸収性物品２０は、腰部領域３６、３８が見えるようにして、キットの中で均等に配置される（すなわち、物品２０は同じように折り畳まれ、一体に纏められる）。このような場合、タブ５００としての持ち手２００（図５ａ及び５ｂ参照）は、着用者（又は介護人）にとって、容易に利用可能である。物品２０をキットから取り外すために、タブ５００が把持され、使用されてよい。その後、タブ５００を有する第２物品２０がキットから現れる。
【００８３】
緩慢に回復するエラストマー及び試験
上述のように、吸収性物品２０の持ち手２００は、緩慢に回復するエラストマーを含んでよい。緩慢に回復するエラストマーは、吸収性物品２０内の別の場所で使用されてよいが、本開示によれば、緩慢に回復するエラストマーは、特に持ち手に使用される。このようなものとして、緩慢に回復するエラストマーは、別の材料又は基材（高分子フィルム、不織布、織物、又はスクリムなど）に接合され、吸収性物品２０内で使用されてよい。
【００８４】
上述のように、緩慢に回復するエラストマーは、エラストマーポリマー、任意で少なくとも１つの変性樹脂、及び任意で１つ以上の接着剤を含む組成物から調製されてよい。緩慢に回復するエラストマーは、２サイクルヒステリシス試験によって測定した時、５分の維持時間の後、６０％ひずみ、３７℃で少なくとも約０．０４Ｎ／ｍｍ２の正規化された除荷力を呈するが、以下でより詳細に説明される。緩慢に回復するエラストマーは、伸長後回復試験によって測定した時、２２℃での１５秒間の回復の後に３０％以上の伸長後ひずみを示すが、これも以下でより詳細に説明される。
【００８５】
必要な正規化された除荷力及び伸長後ひずみを備える、緩慢に回復するエラストマーを調製するために、多数のエラストマー性ポリマーを使用することができる。エラストマー性ポリマーとして、ホモポリマー（例えば、架橋されたポリ（イソプレン））、ブロックコポリマー、ランダムコポリマー、交互型コポリマー、及びグラフトコポリマーが挙げられるが、これらに限定されない。好適なエラストマー性ポリマーは、スチレン系ブロックコポリマー、天然及び合成ゴム、ポリイソプレン、ネオプレン、ポリウレタン、シリコーンゴム、炭化水素エラストマー、アイオノマーなどを含む。
【００８６】
一実施形態では、エラストマー性ポリマーは、ブロックコポリマーであってよい。緩慢に回復するエラストマーを調製するため、多元ブロックコポリマー、先細ブロックコポリマー、及び星型ブロックコポリマーなどを含む、多数のブロックコポリマーが使用されてよい。一般に、緩慢に回復するエラストマーに使用するのに好適なブロックコポリマーは、エラストマー特性と熱可塑性特性の両方を示す。そのようなブロックコポリマーでは、硬ブロック（又はセグメント）は、約２５℃を超えるガラス転移温度（Ｔｇ）を有してもよく、又は、約２５℃を超える融解温度（Ｔｍ）を有する結晶性若しくは半結晶性である。好ましくは、硬ブロックは、約３５℃超過のＴｇを有するか、又は約３５℃超過のＴｍを有する結晶性若しくは半結晶性である。硬ブロック部分は通常、スチレン及びα−メチル−スチレン又はこれらの組み合わせなどのビニルアレーンを含む、ビニルモノマーから誘導される。
【００８７】
本明細書で言及されるガラス転移温度は、温度勾配方法を使用し周波数１Ｈｚにて材料の線形弾性領域において実施される、引張り動的機械的分析により決定される。好適には、約０．３ｍｍ以下の均一な厚さを有するフィルム試料が、約１℃／分以下の温度変化速度で使用されてもよい。ＴａｎΔのピーク温度は、特定の材料又は相のＴｇとされる。
【００８８】
本明細書で言及される結晶の融解温度は、１０℃／分の温度勾配率を用いて、示差走査熱量計により決定される。融解吸熱ピーク温度は、特定の結晶性区域のＴｍとされる。
【００８９】
ブロックコポリマーは、軟ブロック（又は部分）を含んでもよい。軟ブロックは一般に、コポリマーの使用温度においてガラス状又は結晶性の領域を形成しないように、十分に低いガラス転移温度及び／又は融解温度を示す。一実施形態では、使用温度は、ほぼ室温（約２２℃）〜ほぼ体温（約３７℃）であってよい。しかしながら、他の使用温度も可能であって、本発明の範囲内である。そのような軟ブロックは一般に、硬ブロックと物理的相溶性がなく、別個の領域、ドメイン、又は相を形成する。
【００９０】
軟ブロック部分は、共役脂肪族ジエンモノマーから誘導されたポリマーであってよい。典型的には、軟ブロックモノマーは、約６個未満の炭素原子を含有する。好適なジエンモノマーとして、ブタジエン、イソプレンなどが挙げられる。特に好ましい軟ブロックポリマーとして、ポリ（ブタジエン）及びポリ（イソプレン）が挙げられる。更に、軟ブロックのＴｇを調整するために、軟ブロックが修飾されてもよいと考えられている。例えば、イソプレンとスチレンのランダムコポリマーが使用されてもよく、又はポリ（イソプレン）上にスチレンのグラフトコポリマーが使用されてもよい。そのような場合、より少ない量の変性樹脂が使用できる。
【００９１】
本発明で使用するのに好適なブロックコポリマーは、少なくとも１つの硬ブロック（Ａ）と少なくとも１つの軟ブロック（Ｂ）とを含んでもよい。ブロックコポリマーは、多元ブロックを有してもよい。好ましい実施形態では、ブロックコポリマーは、Ａ−Ｂ−Ａ三元ブロックコポリマー、Ａ−Ｂ−Ａ−Ｂ四元ブロックコポリマー、又はＡ−Ｂ−Ａ−Ｂ−Ａ五元ブロックコポリマーであってもよい。また、本明細書で有用であるのは、端末ブロックＡ及びＡ’を有して、Ａ及びＡ’が異なるビニル化合物から誘導されてもよい、三元ブロックコポリマーである。また、本発明で有用であるのは、１つ以上の硬ブロック及び／又は１つ以上の軟ブロックを有して、それぞれの硬ブロックが同一又は異なるモノマーから誘導されてもよく、またそれぞれの軟ブロックが同一又は異なるモノマーから誘導されてもよい、ブロックコポリマーである。
【００９２】
コポリマーが残留オレフィン性二重結合を有する場合、望むならば、コポリマーは部分的又は完全に水素添加されてもよいことを、記さなければならない。飽和は、コポリマーのエラストマー特性に有益な効果をもたらす可能性が高い。
【００９３】
エラストマー性ポリマーは、所望の正規化された除荷力及び伸長後ひずみを実現するため、有効な量で緩慢に回復するエラストマーに使用されてもよい。緩慢に回復するエラストマーは、一般に、約２０％〜約７０％、好ましくは約３０％〜約６５％、最も好ましくは約４５％〜約６０％のエラストマー性ポリマーを含んでもよい。
【００９４】
好ましいエラストマー性ポリマーとしては、スチレン−ブタジエン−スチレン（Ｓ−Ｂ−Ｓ）、スチレン−エチレン／ブチレン−スチレン（Ｓ−ＥＢ−Ｓ）、スチレン−エチレン／プロピレン−スチレン（Ｓ−ＥＰ−Ｓ）、スチレン−イソプレン−スチレン（Ｓ−Ｉ−Ｓ）、水素添加ポリスチレン−イソプレン／ブタジエン−スチレン（Ｓ−ＥＥＰ−Ｓ）、及びそれらの混合物などの、スチレン−オレフィン−スチレン三元ブロックコポリマーが挙げられる。そのブロックコポリマーは、単独で使用されても、又はブロックコポリマーのブレンド中で使用されてもよい。
【００９５】
特に好ましいブロックコポリマーとしては、スチレン−ブタジエン−スチレン（Ｓ−Ｂ−Ｓ）及びスチレン−イソプレン−スチレン（Ｓ−Ｉ−Ｓ）のブロックコポリマーが挙げられる。スチレン−ブタジエン−スチレン（Ｓ−Ｂ−Ｓ）及びスチレン−イソプレン−スチレン（Ｓ−Ｉ−Ｓ）のそのような直鎖ブロックコポリマーは、テキサス州ヒューストン（Houston）のデクスコ・ポリマーズ社（Dexco Polymers L.P.）から商品名ベクター（Vector）で、及びテキサス州ヒューストン（Houston）のクレイトン・ポリマーズ社（Kraton Polymers）から商品名クレイトン（Kraton）で市販されている。
【００９６】
様々な変性樹脂が、この緩慢に回復するエラストマーに使用されてもよい。好適な変性樹脂は、好ましくは、エラストマー性ポリマーの軟ブロックと会合又は相混合すべきである。変性樹脂は、軟ブロックのガラス転移温度を上昇させ、その結果、２２℃での１５秒間の回復の後に伸長後ひずみを増大させるのに十分な、高い平均分子量を有するべきである。この理論に束縛されるものではないが、変性樹脂は、使用中温度における分子緩和が緩慢になる程度まで、軟質相のＴｇを上昇させると考えられる。これは、伸長後ひずみが比較的高くなることによって証明される。
【００９７】
緩慢に回復するエラストマーは、約０重量％〜約６０重量％の量で変性樹脂を含んでもよい。好ましくは、組成物は、約２０％〜約５５％、更により好ましくは約３５％〜約４５％の変性樹脂を含む。
【００９８】
本明細書で有用である好適な変性樹脂は、約６０℃〜約１８０℃、より好ましくは約７０℃〜約１５０℃、及びより好ましくは約９０℃〜約１３０℃の範囲のガラス転移温度を有してもよい。
【００９９】
本明細書で有用である好適な変性樹脂は、好ましくは軟ブロック結合性であるべきである。変性樹脂がブロックコポリマーの軟ブロックと相混合するかどうかを決定するに際して、溶解パラメーターが有用である。一般に、変性樹脂は、変性樹脂の溶解パラメーターが軟ブロック相の溶解パラメーターに近似するように選定される。一般的な軟ブロック相は、約７．０（ｃａｌ／ｃｍ３）１／２〜約９．０（ｃａｌ／ｃｍ３）１／２の溶解度パラメーターを有するので、変性樹脂は類似の溶解度パラメーターを有するべきである。例えば、軟ブロック相の溶解度パラメーターが約８（ｃａｌ／ｃｍ３）１／２の場合、変性樹脂の溶解度パラメーターは、約７．５（ｃａｌ／ｃｍ３）１／２〜約８．５（ｃａｌ／ｃｍ３）１／２であるべきである。変性樹脂の溶解パラメーターはまた、硬ブロックの溶解パラメーターに近似してもよい。しかしながら、変性樹脂が軟ブロックと相混合しているのであれば、硬ブロックの相混合は限定的であると解釈されるべきではない。普通のポリマー又は樹脂の溶解パラメーターのリストは、溶解パラメーターを決定又は概算する方法と共に、「ポリマーハンドブック（Polymer Handbook）第３版」（ワイリー・インターサイエンス社（Wiley Interscience）、第７章、５１９〜５５９頁）に見出すことができる。
【０１００】
本明細書で有用な変性樹脂として、水素添加のないＣ５炭化水素樹脂又はＣ９炭化水素樹脂、部分的又は完全に水素添加されたＣ５炭化水素樹脂又はＣ９炭化水素樹脂；脂環式樹脂；テルペン樹脂；ポリスチレン及びスチレンオリゴマー；ポリ（ｔ−ブチルスチレン）又はそのオリゴマー；ロジン及びロジン誘導体；クマロンインデン；ポリシクロペンタジエン及びそのオリゴマー；ポリメチルスチレン又はそのオリゴマー；フェノール樹脂；インデンのポリマー、オリゴマー、及びコポリマー；アクリレート及びメタクリレートのオリゴマー、ポリマー、又はコポリマー；これらの誘導体；並びにこれらの組み合わせが挙げられるが、これらに限定されない。好ましくは、樹脂は、ｔ−ブチルスチレン、シクロペンタジエン、イソボルニルメタクリレート、メチルメタクリレート、イソブチルメタクリレート、インデン、クマロン、ビニルシクロヘキサン、メチルスチレン、及び３，３，５−トリメチルシクロヘキシルメタクリレート由来の、オリゴマー、ポリマー、及び／又はコポリマーからなる群から選択される。好ましい変性樹脂としては、脂環式テルペン、炭化水素樹脂、脂環式樹脂、ポリ−β−ピネン、テルペンフェノール樹脂、及びこれらの混合物も挙げられる。「Ｃ５炭化水素樹脂」及び「Ｃ９炭化水素樹脂」は、米国特許第６，３１０，１５４号にて開示されている。
【０１０１】
一般に、より好ましい特性を有する、緩慢に回復するエラストマーを得るため、様々な添加剤が用いられてもよい。例えば、安定剤、酸化防止剤、及び静菌剤が、緩慢に回復するエラストマーの、熱及び酸化による、並びに生化学的な劣化を防ぐために用いられてもよい。一般に、１つ又は複数の添加剤は、緩慢に回復するエラストマーの総重量の約０．０１％〜約６０％を占めてもよい。別の実施形態では、組成物は、約０．０１％〜約２５％を含む。別の好適な実施形態では、組成物は、添加物を約０．０１重量％〜約１０重量％含む。
【０１０２】
様々な安定剤及び酸化防止剤が、当該技術分野において周知であり、高分子量ヒンダードフェノール（すなわち、ヒドロキシル基に近接して立体的なかさばったラジカルを有するフェノール化合物）、多機能フェノール（すなわち、イオウ及びリンを含有する基を有するフェノール化合物）、トリス−（ｐ−ノニルフェニル）−ホスファイトなどのリン酸塩、ヒンダードアミン、及びこれらの組み合わせなどが挙げられる。代表的なヒンダードフェノールとしては、ｔ−ブチルヒドロキシキノン、１，３，５−トリメチル−２，４，６−トリス（３−５−ジ−ｔｅｒｔ−ブチル−４−ヒドロキシベンジル）ベンゼン、ペンタエリスリトールテトラキス−３（３，５−ジ−ｔｅｒｔ−ブチル−４−ヒドロキシフェニル）プロピオネート、ｎ−オクタデシル−３（３，５−ジｔｅｒｔ−ブチル−４−ヒドロキシフェニル）プロピオネート、４，４’−メチレンビス（４−メチル−６−ｔｅｒｔブチルフェノール）、４，４’−チオビス（６−ｔｅｒｔ−ブチル−ｏ−クレゾール）、２，６−ジ−ｔｅｒｔ−ブチルフェノール、６−（４−ヒドロキシフェノキシ）−２，４−ビス（ｎ−オクチルチオ）−１，３，５−トリアジン、２，４，６−トリス（４−ヒドロキシ−３，５−ジ−ｔｅｒｔ−ブチル−フェノキシ）−１，３，５−トリアジン、ジ−ｎ−オクタデシル−３，５−ジ−ｔｅｒｔ−ブチル−４−ヒドロキシベンジルホスホネート（ydroxybenzylphosphonate）、２−（ｎ−オクチルチオ）エチル−３，５−ジ−ｔｅｒｔ−ブチル−４−ヒドロキシベンゾエート、及びソルビトールヘキサ−（３，３，５−ジ−ｔｅｒｔ−ブチル−４−ヒドロキシフェニル）プロピオネートが挙げられる。独占的に市販される安定剤及び／又は酸化防止剤が、様々なウィングステイ（登録商標）、チヌビン（登録商標）、及びイルガノックス（登録商標）製品を含む、多数の商標名で利用可能である。
【０１０３】
様々な静菌剤が当該技術分野において既知であり、緩慢に回復するエラストマーの中に添加剤として含まれてもよい。好適な抗菌剤の例として、ベンゾエート、フェノール、アルデヒド、ハロゲンを含む化合物、窒素化合物、水銀などの金属を含む化合物、亜鉛化合物、及びスズ化合物などが挙げられる。代表的な静菌剤は、ニューヨーク州タリータウン（Tarrytown）のチバ・スペシャルティ・ケミカル・コーポレーション（Ciba Specialty Chemical Corporation）からイルガサン（Irgasan）ＰＡの商品名で入手可能な、２，４，４’−トリクロロ−２’−ヒドロキシ−ジフェニル−エーテルである。
【０１０４】
その他の任意添加物として、熱可塑性ポリマー又は熱可塑性ポリマー組成物が挙げられ、これはブロックコポリマーの硬ブロック又はセグメントと優先的に会合する。理論に束縛されるものではないが、これらの熱可塑性ポリマーは、硬相の絡み合った三次元ネットワーク構造に取り込まれると考えられている。この絡み合ったネットワーク構造は、エラストマー性組成物の引張り弾性及び応力緩和特性に改善をもたらすことができる。エラストマー性ポリマーがスチレンブロックコポリマーを含む場合、ポリフェニレンオキサイド、並びにスチレン、α−メチルスチレン、パラメチルスチレン、他のアルキルスチレン誘導体、ビニルトルエン、及びそれらの混合物などのモノマー由来のビニルアレーンポリマーなどの熱可塑性ポリマー添加剤は、一般にブロックコポリマーのスチレン硬ブロックと化学的に適合性であると考えられるので、本発明において有用である。
【０１０５】
様々な粘度の変性剤、加工助剤、スリップ剤、又は粘着防止剤を、例えば処理特性又は表面特性が改善された、緩慢に回復するエラストマーを得るため、添加剤として用いることができる。加工助剤には、加工油が含まれており、これらは、当該技術分野において周知であって、合成及び天然油、ナフテン系油、パラフィン系油、オレフィンオリゴマー及び低分子量ポリマー、植物油、動物油、及び水素添加変成物が含まれるそれらの誘導体が挙げられる。加工油にはまた、そのような油の組み合わせが組み込まれてもよい。特に好ましい加工油は、鉱物油である。粘度調節剤も当該技術分野において周知である。例えば、石油抽出ワックスを使用すると、熱加工中の緩慢に回復するエラストマーの粘度を低下させることができる。好適なワックスとして、低い数平均分子量（例えば６００〜６０００）のポリエチレン、パラフィンワックス及びマイクロクリスタリンワックスなどの石油系ワックス、アタクチックポリプロピレン、フィッシャー・トロプシュワックスのような一酸化炭素と水素の重合により製造される合成ワックス、及びポリオレフィンワックスなどが挙げられる。
【０１０６】
様々な着色剤及び充填剤が当該技術分野において既知であり、添加剤として、緩慢に回復するエラストマーに含まれてもよい。着色剤は、染料と二酸化チタンなどの顔料とを含むことができる。充填材には、タルク及び粘土のような物質が含まれてもよい。他の添加剤としては、染料、紫外線吸収剤、臭気抑制剤、香料、充填剤、乾燥剤などを挙げることができる。
【０１０７】
本発明の緩慢に回復するエラストマーは、特有の弾性特性及び回復特性を示す。緩慢に回復するエラストマーは、２サイクルヒステリシス試験によって測定した時、３７℃で約０．０４Ｎ／ｍｍ２を超える正規化された除荷力を示す。３７℃において約０．０４Ｎ／ｍｍ２未満の正規化された除荷力は、吸収性物品内のエラストマーとしての使用には不十分であると考えられる。３７℃において約０．０４Ｎ／ｍｍ２未満の正規化された除荷力を有する材料は、吸収性物品を着用者の皮膚にぴったり合わせて密着して保持することができない。好ましくは、緩慢に回復するエラストマーは、３７℃において約０．０８Ｎ／ｍｍ２を超える正規化された除荷力を示し、最も好ましくは、３７℃において約０．１２Ｎ／ｍｍ２を超える正規化された除荷力を示す。
【０１０８】
従来のエラストマー（例えば、テキサス州ヒューストン（Houston）のデクスコ・ポリマーズ社（Dexco Polymers L.P.）のベクター（Vector）４２１１などの使い捨て吸収性物品に一般的に使用されるもの）は、２２℃での１５秒間の回復の後に最小の伸長後ひずみを示す。定性的に、従来のエラストマーは「跳ね戻り」を示す（すなわち、エラストマーは、延伸状態から解放された後、比較的急速に収縮する）。従来のエラストマーを備える伸縮性トップシートを含むおむつの場合、おむつを延伸し、それを解放した時にエラストマーは比較的急速に収縮し、それによっておむつは折り重なり、結果としておむつを上手く位置付けて、適用することが困難になる。対照的に、本発明の緩慢に回復するエラストマーは、伸長後回復試験によって測定した時、２２℃での１５秒間の回復の後に少なくとも約２０％の伸長後ひずみを示す。他の実施形態では、緩慢に回復するエラストマーは、２２℃での１５秒間の回復の後に少なくとも約５０％の伸長後ひずみを示す。他の好適な実施形態では、２２℃で、緩慢に回復するエラストマーは、１５秒間回復した後、約７５％〜約１５０％の伸長後ひずみを示す。しかしながら、１５秒間の回復の後の伸長後ひずみは、２２℃で約１７０％を超えてもよい。
【０１０９】
更に、本発明の緩慢に回復するエラストマーは、２２℃での３０秒間、６０秒間、又は３分間の回復の後に、特定の伸長後ひずみを示してもよい。特定の実施形態では、緩慢に回復するエラストマーは、２２℃での３０秒間の回復の後に、少なくとも約７０％の伸長後ひずみを示してもよい。他の実施形態では、緩慢に回復するエラストマーは、２２℃での６０秒間の回復の後に、少なくとも約４０％の伸長後ひずみを示してもよい。
【０１１０】
緩慢に回復するエラストマーは、温度応答性を示してもよい。一実施形態において、温度応答性の緩慢に回復するエラストマーは、３２℃で１５秒後に、２２℃で１５秒後の伸長後ひずみよりも少なくとも３５％少ない伸長後ひずみを示してもよい。好ましくは、伸長後ひずみにおいて少なくとも５０％の低減が示される。最も好ましくは、伸長後ひずみにおいて少なくとも７５％の低減が示される。温度応答性を示す緩慢に回復するエラストマーは、おむつの適用を更に容易にし得ると考えられる。おむつがほぼ室温（例えば、約２２℃）で適用された時、緩慢に回復するエラストマーは、規定の期間において比較的高い伸長後ひずみを示す。おむつを適用する際、緩慢に回復するエラストマーは、部分的には着用者の皮膚に近接することに起因して温度が上昇するであろう。緩慢に回復するエラストマーの温度が上昇し、ほぼ体温（例えば、約３２℃）に近付くにしたがって、低減された伸長後ひずみが示される。温度応答性は、「跳ね戻り」なしにおむつを適用することを可能とし、一方、適用後の回復の増大をもたらす。
【０１１１】
本発明の緩慢に回復するエラストマーは、様々な形態のものであってよい。緩慢に回復するエラストマーの形態としては、フィルム、バンド、ストランド、個別化された繊維、又はそれらの組み合わせが挙げられるが、それらに限定されない。更に、緩慢に回復するエラストマーは、上記のいずれの形態をとってもよく、また、本発明の特有の回復速度を示さない従来の伸縮素材（すなわち、２２℃での１５秒間の回復の後に少なくとも約５０％の伸長後ひずみを示さない伸縮素材）と更に組み合わされてもよい。緩慢に回復するエラストマーは、様々な物品に利用されることができる。しかしながら、組成物は、上で更に詳細に説明されたように、吸収性物品、特に吸収性物品２０の持ち手２００内で、特定の効果を有する。緩慢に回復するエラストマーはまた、吸収性物品２０内に一般的に存在する従来のエラストマーの代わりに、又はそれに加えて使用されてもよい。緩慢に回復するエラストマーは、個別に使用されるか、又は他の材料若しくは基材（ポリマーフィルム、不織布、織布、又はスクリムなど）と結合されてもよい。
【０１１２】
試験方法
（１）伸長後回復
この方法は、温度及び時間に応じて変わるエラストマーの伸長後ひずみを決定するのに使用される。測定は、２２℃（７２°Ｆ）又は３２℃（９０°Ｆ）で行われる。２２℃（７２°Ｆ）での測定は、室温におけるエラストマーの回復をシミュレートするためのものであり、一方、３２℃（９０°Ｆ）での測定は、ほぼ皮膚の温度におけるエラストマーの回復を測定するためのものである。延伸及び回復の２段階分析が、試料に対して実施される。この方法は、フィルムクランプ、データ取得用のサーマル・アドバンテージ／サーマル・ソリューションズ（Thermal Advantage/Thermal Solutions）ソフトウェア、及びデータ分析用のユニバーサル・アナリシス２０００（Universal Analysis 2000）ソフトウェアを備えた、デラウェア州ニューキャッスル（New Castle）のＴＡインスツルメンツ社（TA Instruments, Inc.）から入手可能なＴＡインスツルメンツＤＭＡ  ２９８０（以下、「ＤＭＡ  ２９８０」）などの、機械的分析器（ＤＭＡ）を用いる。多数の他のタイプのＤＭＡ装置が存在しており、動的機械的分析の使用は、ポリマー及びコポリマーの特性決定技術の当業者には周知である。
【０１１３】
ＤＭＡ  ２９８０を使用するための運転方法、較正、及び指針は、ＴＡインスツルメンツＤＭＡ  ２９８０操作マニュアル（２００２年３月発行）、サーマル・アドバンテージ・ユーザーズ・レファランスガイド（２０００年７月発行）、及びユニバーサル・アナリシス２０００ガイド（２００３年２月発行）に見出される。ＤＭＡ  ２９８０の使用に慣れた者には、下記の運転上の実行条件が、試料の延伸及び回復を模倣するのに十分なはずである。
【０１１４】
フィルムクランプを用いた抵抗力制御モードでの動作を指定する実験条件は、ＤＭＡ  ２９８０上で選択される。フィルムクランプは、ＤＭＡ  ２９８０上に取り付けられ、ユーザー・リファレンス・ガイドに従って較正される。試験される材料は、ほぼ均一な寸法の試料に切断される。適切な試料の寸法は、必要なひずみを得られるように選択され得る。ＤＭＡ  ２９８０の場合、好適な試料の寸法は、幅約６．４ｍｍ×厚さ約０．１５ｍｍである。ＤＭＡ  ２９８０の浮揚しているフィルムクランプは、保持面の間が約６ｍｍになる位置に調節され、この位置で係止される。試料はフィルムクランプ内に取り付けられ、下側クランプは、フィルムクランプ間の実際のゲージ長さを決定することができるように、浮揚できるようにされる。試料ＩＤ及び寸法が記録される。炉は閉鎖される。
【０１１５】
延伸方法−−上記の試料寸法において、指定されたＤＭＡ  ２９８０パラメーター設定が、次のように設定される：クランプ内の試料に付加される予荷重力（０．０１Ｎ）；試験開始時の自動ゼロ変位（オン）；炉（閉）、クランプ位置（ロック）、及び延伸方法終了時のＴｉ（２２℃又は３２℃）で保持される温度。データ受入れ率は、０．５Ｈｚに設定される（２秒毎に１点）。延伸方法がＤＭＡ  ２９８０に読み込まれる。本方法のセグメントは、（１）当初温度Ｔｉ（２２℃又は３２°Ｆ）、（２）Ｔｉに平衡、（３）データ記憶オン、及び（４）勾配力５．０Ｎ／分〜１８．０Ｎである。
【０１１６】
試験開始時、温度は指定のＴｉ（２２℃又は３２℃）まで変化し［方法セグメント１］、温度はこのＴｉで維持される［方法セグメント２］。Ｔｉにて最低１５分間の後、操作者は、サンプル延伸及び同時にデータ採取を開始する［方法セグメント３及び４］。試料は、適用された勾配力５Ｎ／分により、約３０ｍｍの長さまで延伸される。力を徐々に増加させることにより、物品を適用することがより精密にシミュレートされ、破断が防がれる。延伸長さ約３０ｍｍにおいて、試料が、適切な位置に固定されて、Ｔｉに維持される。４００％のひずみに達するのに必要な力は、機器のデジタル表示から手動で記録される。
【０１１７】
異なる寸法の試料に対して、加えられる力は、最初の試料の断面積１平方ミリメートル当たりに加えられる勾配力が５Ｎ／分になるように調節され、最大変位は４００％のひずみが得られるように調節される。パーセントひずみは、延伸長さからゲージ長さを引き、次にその結果をゲージ長さにより除して１００を乗算することにより、計算される。最初の長さ６ｍｍから３０ｍｍの長さまで延伸された試料は、４００％のひずみをもたらす。
【０１１８】
回復方法−−回復方法は機器にロードされ、延伸方法で所望のひずみ（４００％）に達してから１５秒後に開始される。回復方法の４つのセグメントは、（１）データ記憶オン、（２）力０．０１Ｎ、（３）Ｔｉまで昇温、及び（４）等温３．０分間である。ＤＭＡ  ２９８０の次のパラメーター設定が延伸方法から変更される：自動ゼロ変位を（オフ）に変更。回復方法は、指定の温度（Ｔｉ＝２２℃又は３２℃のどちらか）において、３分間にわたって試料の長さを測定する。試料長さ、パーセントひずみ、及び試験温度が、回復時間に応じて記録される。伸長後ひずみは、異なる回復時間（１５秒、３０秒、６０秒、及び３分）後のひずみ率として報告される。
【０１１９】
異なる試料寸法において、力は最初の試料の断面積の１平方ミリメートル当たり０．０１Ｎを達成するように調節される。
【０１２０】
（２）サイクルヒステリシス試験
この方法は、消費者がエラストマー性組成物を含有する製品の適用中に受ける力と相関し得る特性を決定し、また、適用されると製品がどのように適合し働くかを決定するのに使用される。
【０１２１】
２サイクルヒステリシス試験方法は、室温（２１℃／７０°Ｆ）にて実施され、また体温（３７℃／９９°Ｆ）にても実施される。試験される試料は、実質的に直線形状に切断される。試料の寸法は、機器に適切な力によって、必要なひずみが得られるように選択されるべきである。本試験における好適な計器には、ミネソタ州イーデンプレーリー（Eden Prairie）のＭＴＳシステムズ社（MTS Systems Corp）（例えば、アライアンス（Alliance）ＲＴ／１又はシンテック（Sintech）１／Ｓ）、又はマサチューセッツ州カントン（Canton）のインストロンエンジニアリング社（Instron Engineering Corp.）から市販される引張り試験機が挙げられる。上記のアライアンス（Alliance）ＲＴ／１又はシンテック（Sintech）１／Ｓ機器のどちらの場合も、好適な試料寸法は、厚さ約０．１３ｍｍ、幅約２０ｍｍ、長さ約１００ｍｍである。
【０１２２】
次の手順は、上の試料寸法及びアライアンス（Alliance）ＲＴ／１又はシンテック（Sintech）１／Ｓのいずれかを使用する時の測定を示す。計器が、コンピューターとインタフェースされる。テストワークス４（TestWorks 4）（商標）ソフトウェアが、試験パラメーターを制御し、データ獲得及び計算を実施して、グラフ及びデータの報告を提供する。
【０１２３】
試験に使用されるグリップは試料よりも幅が広い。通常は、２．５４ｃｍ（１インチ）幅のグリップが使用される。グリップは、全把持力を試験応力の方向に垂直な単一の線に沿って集中させるように設計された、１つの平坦面と対向面を有する空気圧式のグリップであり、対向面からは、試料の滑りを最小限に抑えるための半円形（半径＝６ｍｍ）が突出している。３７℃における測定の場合、上側グリップは、のこぎり歯面を有する軽量グリップである。
【０１２４】
ロードセルは、測定される力がロードセルの容量の１０％〜９０％、又は使用される荷重範囲となるように選定される。通常は、２５Ｎのロードセルが使用される。装備品及びグリップが取り付けられる。計器が、製造者の指示書に従って較正される。把持力の線の間の距離（ゲージ長さ）は６３．５ｍｍ（２．５０インチ）であり、これはグリップの脇に保持された鋼定規で測定される。装備品及びグリップの質量を補正するために、計器上の荷重読取り値がゼロにされる。試料の質量及び厚さが、試験前に測定される。試料は、緩みがなく、測定された荷重が０．００Ｎ〜０．０２Ｎになるようにして、グリップ内に取り付けられる。グリップ内に取り付けられた後、試料は、試験を開始する前に５分間、試験温度で平衡にされる。３７℃で測定を実行するため、好適な環境チャンバを使用してこの温度が維持される。計器は、２１℃にて実施される測定のために、温度制御された室の中に配置されている。
【０１２５】
２サイクルヒステリシス試験方法は、次の段階を伴う。
（１）保留なしの５０．８ｃｍ／分（２０インチ／分）の一定のクロスヘッド速度で、試料を指定の最大ひずみ率（すなわち、Ｓｔｒａｉｎ最大＝１５０％）まで歪ませる。
（２）保留なしの７．６２ｃｍ／分（３インチ／分）の一定のクロスヘッド速度で、ひずみを０％ひずみまで低減させる（すなわち、グリップを元の６．３５ｃｍ（２．５０インチ）のゲージ長さに戻す）。
（３）保留なしの５０．８ｃｍ／分（２０インチ／分）の一定のクロスヘッド速度で、試料をＳｔｒａｉｎ最大まで歪ませる。
（４）一定クロスヘッド速度７．６２ｃｍ／分（３インチ／分）で、６０％ひずみまでひずみを低減させる。
（５）６０％ひずみで５分間保持する。
（６）一定クロスヘッド速度７．６２ｃｍ／分（３インチ／分）で、０％ひずみにする。
【０１２６】
除荷力は、工程５で５分間保持された後の、６０％ひずみにおける力である。この力は、以下のように最初の試料の断面積１平方ミリメートル当たりのニュートンに正規化される（試料が延伸される前に決定される）：正規化された除荷力＝測定された除荷力／［最初の試料の厚さ（ｍｍ）×最初の試料の幅（ｍｍ）］
【０１２７】
試料寸法が異なる場合、クロスヘッド速度が、試験の各部分に対して適切なひずみ速度を維持するように調節される。例えば、２５．４ｃｍ／分（１０インチ／分）のクロスヘッド速度が、工程１及び３において、試料ゲージ長さ３１．７ｍｍ（１．２５インチ）に対して使用される。
【実施例】
【０１２８】
代表的なフィルムは、表１に示すように、様々な量のエラストマー性ポリマー、変性樹脂及び鉱油をブレンドすることにより調製される。ブレンドは、混合物を押出成形する（実施例２及び３）ことによって、又は混合物を溶液流延し、加熱されたカーバー・プレス（Carver Press）上でフィルムの形に圧縮成形する（実施例１、４、５、６、及び７）ことによって行われる。各構成成分の量は、エラストマー性組成物の重量％で表されている。表１の実施例は、テキサス州ヒューストン（Houston）のデクスコ・ポリマーズ社（Dexco Polymers L.P.）からベクトル（Vector）４２１１の商品名で市販されている三元ブロックエラストマー性コポリマー、スチレン−イソプレン−スチレン（Ｓ−Ｉ−Ｓ）を含む。いくつかの実施例（実施例２、３、４、６、及び７）では、エラストマー組成物の１つの構成成分は、ペンシルベニア州ペトロリア（Petrolia）のクロンプトン・コーポレーション（Crompton Corporation）からブリトール（Britol）（登録商標）５０Ｔの商品名で市販されている白色鉱油である。表１の実施例に開示されている使用に好適な変性樹脂は、イリノイ州シカゴ（Chicago）のアラカワ・ケミカル社（Arakawa Chemical Inc.）からアルコン（Arkon）Ｐ１４０（Ｔｇは８６℃）の商品名で入手可能な脂環式炭化水素樹脂、並びに、アルドリッチ・ケミカル社（Aldrich Chemical Company）から入手可能なｔ−ブチルスチレンモノマーをフリーラジカル重合することによってプロクター・アンド・ギャンブル社（Procter & Gamble Company）にて合成されたポリ（ｔ−ブチルスチレン）（２．３Ｅ−２０ｇ（１４ｋＤａ）及び３．２Ｅ−２０ｇ（１９ｋＤａ）の樹脂それぞれに対して、Ｔｇは１２６℃及び１３０℃）である。ポリ（ｔ−ブチルスチレン）試料の重量平均分子量は、テトラヒドロフラン中のポリスチレン標準を使用してゲル浸透クロマトグラフィーによって決定した時、２．３Ｅ−２０ｇ（１４ｋＤａ）及び３．２Ｅ−２０ｇ（１９ｋＤａ）である。
【表１】
2010508055.tif 000003
＊試料１は比較例であり、試料２〜７は本発明の実施形態である。
【０１２９】
表１のエラストマー性組成物のフィルムは、上記の試験方法の項に記載された伸長後回復方法に従って測定される。試験されるフィルムの厚さ、及び、試料を４００％のひずみまで歪ませるためのニュートン単位の力（フィルム厚さに対して正規化されていない）が、表２に示される。伸長後ひずみは、異なる回復時間（１５秒、３０秒、６０秒、及び３分）において報告される。
【表２】
2010508055.tif 000004
【０１３０】
表１のエラストマー性組成物のフィルムの正規化された除荷力は、上記の試験方法の項に記載された２サイクルヒステリシス試験にしたがって、２１℃及び３７℃で測定される。データは表３に示される。
【表３】
2010508055.tif 000005
１試料８は、フィンドリー（Findley）Ｈ２４０１接着剤（加熱されたカーバー・プレス（Carver Press）を使用してフィルムの形に圧縮成形されたもの）の比較例である。
【０１３１】
本明細書に開示される寸法及び値は、列挙された正確な数値に厳しく限定されるものとして理解されるべきではない。それよりむしろ、特に指定されない限り、こうした寸法はそれぞれ、列挙された値とその値周辺の機能的に同等の範囲との両方を意味するものとする。例えば、「４０ｍｍ」として開示された寸法は、「約４０ｍｍ」を意味することを意図する。
【０１３２】
「発明を実施するための形態」で引用した全ての文献は、その関連部分において、本明細書に参照として組み込まれるが、いかなる文献の引用も、それが本発明に対する先行技術であることを認めるものであると解釈するべきではない。
【０１３３】
本発明の特定の諸実施形態を図示し、記載したが、本発明の趣旨及び範囲から逸脱することなく他の様々な変更及び修正を実施できることは当業者には自明であろう。したがって、本発明の範囲内にあるこのようなすべての変更及び修正を、添付の特許請求の範囲で扱うものとする。
【図１】
2010508055.tif 000006
【図２】
2010508055.tif 000007
【図３ａ】
2010508055.tif 000008
【図３ｂ】
2010508055.tif 000009
【図３ｃ】
2010508055.tif 000010
【図３ｄ】
2010508055.tif 000011
【図３ｅ】
2010508055.tif 000012
【図４】
2010508055.tif 000013
【図５ａ】
2010508055.tif 000014
【図５ｂ】
2010508055.tif 000015
【図６ａ】
2010508055.tif 000016
【図６ｂ】
2010508055.tif 000017
【図６ｃ】
2010508055.tif 000018
【図６ｄ】
2010508055.tif 000019
【図７】
2010508055.tif 000020
【図８ａ】
2010508055.tif 000021
【図８ｂ】
2010508055.tif 000022
【図９ａ】
2010508055.tif 000023
【図９ｂ】
2010508055.tif 000024
【手続補正書】
【提出日】平成21年5月14日(2009.5.14)
【手続補正１】
【補正対象書類名】図面
【補正対象項目名】図１
【補正方法】変更
【補正の内容】
【図１】
2010508055.tif 000025
【国際調査報告】
2010508055.tif 000026
2010508055.tif 000027